(57)【特許請求の範囲】
【請求項１】
複数の第１の通信装置と通信を行なう第１の通信手段と、
前記第１の通信手段とは異なる通信手段であって、前記第１の通信装置の識別情報と認証情報とを組にして記憶している第２の通信装置と通信を行なう第２の通信手段と、
前記第１の通信手段により受信した前記第１の通信装置の識別情報を、前記第２の通信手段により前記第２の通信装置へ送信し、前記識別情報に対応付けられた認証情報を前記第２の通信手段により前記第２の通信装置から受信する認証情報取得手段とを含み、
前記第１の通信装置は、前記第２の通信装置よりも数が多いことを特徴とする端末。
【請求項２】
前記第１の通信手段は近距離無線通信手段であり、
前記第２の通信手段は携帯電話網への通信手段であることを特徴とする請求項１に記載の端末。
【請求項３】
前記認証情報は、前記第１の通信装置における所定の処理を許可する認証情報であることを特徴とする請求項１または２に記載の端末。
【請求項４】
前記所定の処理は、前記端末との通信であることを特徴とする請求項３に記載の端末。
【請求項５】
前記端末と前記第１の通信装置との間の通信に対する課金情報を作成するための手段と、
前記第２の通信装置との間で前記課金情報を送受信するための手段とをさらに含むことを特徴とする請求項１から４のいずれかに記載の端末。
【請求項６】
前記端末は、携帯電話であることを特徴とする、請求項１から５のいずれかに記載の端末。
【請求項７】
自己の識別情報を記憶している複数の第１の通信装置と、各前記第１の通信装置の識別情報と認証情報とを組にして記憶している第２の通信装置と、前記複数の第１の通信装置と第１の通信手段により通信でき、前記第２の通信装置と前記第１の通信手段とは異なる第２の通信手段により通信できる端末から構成されるシステムであって、
前記端末は前記第１の通信手段により受信した前記第１の通信装置の識別情報を、前記第２の通信手段により前記第２の通信装置へ送信し、前記識別情報に対応付けられた認証情報を前記第２の通信手段により前記第２の通信装置から受信し、
前記第１の通信装置は、前記第２の通信装置よりも数が多いことを特徴とするシステム。
【請求項８】
前記第１の通信手段は近距離無線通信手段であり、
前記第２の通信手段は携帯電話網への通信手段であることを特徴とする請求項７に記載のシステム。
【請求項９】
前記認証情報は、前記第１の通信装置における所定の処理を許可する認証情報であることを特徴とする請求項７または８に記載のシステム。
【請求項１０】
前記所定の処理は、前記端末との通信であることを特徴とする請求項９に記載のシステム。
【請求項１１】
さらに前記第２の通信装置は予め定められた条件が満足されると第１の通信装置に識別情報や認証情報などの情報を送信することにより、第１の通信装置が記憶している識別情報や認証情報を変更することを特徴とする請求項７から１０のいずれかに記載のシステム。
【請求項１２】
さらに前記第１の通信装置は予め定められた条件が満足されると第２の通信装置に識別情報や認証情報を送信することにより、第２の通信装置が登録している識別情報や認証情報を変更することを特徴とする請求項７から１１のいずれかに記載のシステム。
【請求項１３】
さらに前記第２の通信装置は、端末から受信した端末の認証データが有効である場合に、端末の識別データおよび認証データ、第１の通信装置の認証情報のいずれかを端末および第１の通信装置に送信することを特徴とする請求項７から１２のいずれかに記載のシステム。
【請求項１４】
さらに前記端末は、端末と第１の通信装置との間の通信に対する課金情報を作成し、前記課金情報を第２の通信装置との間で送受信することを特徴とする請求項７から１３のいずれかに記載のシステム。
【請求項１５】
さらに前記第１の通信装置は、端末と第１の通信装置との間の通信に対する課金情報を作成し、前記課金情報を第２の通信装置との間で送受信することを特徴とする請求項７から１４のいずれかに記載のシステム。
【請求項１６】
前記端末は、携帯電話であることを特徴とする、請求項７から１５のいずれかに記載のシステム。
【請求項１７】
複数の第１の通信装置と通信を行なう第１の通信手段と、前記第１の通信手段とは異なる通信手段であって、前記第１の通信装置の識別情報と認証情報とを組にして記憶している第２の通信装置と通信を行なう第２の通信手段と、これらの通信手段を制御する制御手段とを含む端末の通信方法を実現するためのプログラムであって、前記第１の通信装置は、前記第２の通信装置よりも数が多く、
前記第１の通信手段を用いて、前記第１の通信装置の識別情報を受信するステップと、
前記第２の通信手段を用いて、前記第１の通信手段により受信した前記第１の通信装置の識別情報を、前記第２の通信装置へ送信するステップと、
前記第２の通信手段を用いて、前記識別情報に対応付けられた認証情報を前記第２の通信装置から受信するステップとを含む通信方法を、前記端末の制御手段に実行させるプログラム。
【請求項１８】
前記第１の通信手段は近距離無線通信手段であり、
前記第２の通信手段は携帯電話網への通信手段であることを特徴とする請求項１７に記載のプログラム。
【請求項１９】
前記認証情報は、前記第１の通信装置における所定の処理を許可する認証情報であることを特徴とする請求項１７または１８に記載のプログラム。
【請求項２０】
前記所定の処理は、前記端末との通信であることを特徴とする請求項１９に記載のプログラム。
【請求項２１】
前記端末と前記第１の通信装置との間の通信に対する課金情報を作成するステップと、
前記第２の通信装置との間で前記課金情報を送受信するステップとをさらに含む通信方法を、前記端末の制御手段に実行させる、請求項１７から２０のいずれかに記載のプログラム。
【請求項２２】
前記端末は、携帯電話であることを特徴とする、請求項１７から２１のいずれかに記載のプログラム。
【発明の詳細な説明】
【０００１】
【発明の属する技術分野】
本発明は、通信装置と、その通信装置との間でデータ通信する携帯端末と、それら通信装置と携帯端末との間における通信のセキュリティを確保する認証装置とを含むシステムに関し、特に、通信装置と携帯端末との間で無線通信を行ない、通信装置が携帯端末の情報を予め保持していない場合であっても、セキュリティを確保してデータ通信を実現できる技術に関する。
【０００２】
【従来の技術】
最近のインターネットを始めとするネットワークの発達に伴い、様々な装置の間でデータ通信が行なわれている。このようなデータ通信により対象であるデータには、プライバシー保護の観点から、他人への漏洩を避けなければならない個人情報が含まれる。このような個人情報の漏洩を防止するために、データ通信の対象者を特定して通信する必要がある。
【０００３】
特開平１０−３３６３４５号公報は、セキュリティレベルの高い発信者認証方法を開示する。この公報に開示された認証方法は、ネットワークに接続された情報提供装置に対して、アクセスポイントを介してアクセス要求する携帯電話の発信者認証方法である。この発信者認証方法は、携帯電話が、アクセスポイントにおける制御装置を介して情報提供装置に回線の接続を要求するステップと、回線が接続された後、携帯電話が制御装置を経由して情報提供装置に携帯電話の電話番号を送信するステップと、情報提供装置が、受信した電話番号が予め登録されている契約ユーザの電話番号であるか否かを認証するステップと、情報提供装置が、認証結果を制御装置に送信するステップと、制御装置が、その認証に基づいて、携帯電話と情報提供装置の間の論理パスを形成するステップと含む。
【０００４】
この認証方法によると、ネットワークへの通信アクセスを要求する発信者の認証を、携帯電話の電話番号に基づいて行うこととしている。これにより、ユーザＩＤとパスワードとに基づく認証方法に比較して、携帯電話の発信者番号通知により通知される電話番号により認証ができるため、発信者認証のセキュリティレベルが大きく向上する。
【０００５】
【発明が解決しようとする課題】
しかしながら、この公報に記載された認証方法は、予め情報提供装置に契約ユーザの電話番号を登録しておく必要がある。さらに、アクセスポイントの制御装置と情報提供装置とが通信できなければならない。すなわち、上述の公報に開示された認証方法を実現しようとすると、アクセスポイントの制御装置と発信者が契約ユーザであることを認証する情報提供装置とが接続され、かつ情報提供装置に携帯電話やＰＤＡの電話番号が認証情報として予め登録されていなければならない。最近では、Bluetoothなどの近距離無線通信デバイスを実装した携帯電話やＰＤＡ（Personal Digital Assistant）を用いて、街中のアクセスポイントに設置された制御装置から様々な情報の提供を受ける場合がある。このような場合、予め携帯電話やＰＤＡを認証するための情報を、すべての制御装置に登録することは困難である。
【０００６】
本発明は、上述の課題を解決するためになされたものであって、無線通信が行なわれる携帯端末と無線装置との間において、無線装置が接続を要求してきた携帯端末に関する情報を有しなくても、高いセキュリティレベルでの認証を実現できる、無線通信認証システム、そのシステムに用いられるサーバ装置、携帯端末、通信装置を提供することである。
【０００７】
【課題を解決するための手段】
第１の発明に係る無線通信認証システムは、複数の第１の通信装置と、第２の通信装置と、各第１の通信装置と無線通信する携帯端末とを含む無線通信認証システムである。第１の通信装置は、自己を識別するための識別情報と、識別情報に対応した認証情報とを記憶するための記憶手段と、記憶手段に接続され、携帯端末に識別情報を送信するための送信手段とを含む。携帯端末は、第１の通信装置から識別情報を受信するための第１の受信手段と、識別情報を第２の通信装置に送信するための第１の送信手段とを含む。第２の通信装置は、携帯端末から識別情報を受信するための受信手段と、各第１の通信装置に対応して、識別情報と認証情報とを登録するための第１の登録手段と、受信手段と第１の登録手段とに接続され、携帯端末から受信した識別情報に基づいて、登録された認証情報を検索するための検索手段と、検索手段に接続され、検索された認証情報を携帯端末に送信するための送信手段とを含む。携帯端末は、第２の通信装置から、検索された認証情報を受信するための第２の受信手段と、携帯端末と第１の通信装置との接続を要求する情報を、第１の通信装置に送信するための第２の送信手段とをさらに含む。第１の通信装置は、携帯端末から、検索された認証情報と接続を要求する情報とを受信するための受信手段と、受信手段と記憶手段とに接続され、記憶された認証情報に基づいて、携帯端末と第１の通信装置との接続の可否を判断するための判断手段とをさらに含む。
【０００８】
第１の発明によると、携帯端末は、第１の通信装置から受信した、第１の通信装置の識別番号を、第２の通信装置に送信する。第２の通信装置の第１の登録手段には、各第１の通信装置に対応して、識別情報と認証情報とが登録されている。第２の通信装置の検索手段は、携帯端末から受信した識別情報と一致する識別情報に対応して登録された認証情報を検索する。第２の通信装置は、検索された認証情報を携帯端末に送信する。携帯端末は、第２の通信装置から受信した認証情報をもとに、第１の装置との接続を要求する情報を送信する。第１の通信装置は、携帯端末からの接続要求時に、記憶手段に記憶された認証情報を使って認証処理を行ない、成功すると、携帯端末との通信を可能と判断する。これにより、第１の通信装置と携帯端末との間で無線通信を行なうにあたり、接続を要求してきた携帯端末に関する情報を第１の通信装置が有しなくても、高いセキュリティレベルでの認証を実現できる無線通信認証システムを提供することができる。
【０００９】
第２の発明に係る無線通信認証システムは、第１の発明の構成に加えて、携帯端末は、自己を識別するための識別データを記憶するための記憶手段をさらに含む。第１の送信手段は、識別データとともに、識別情報を第２の通信装置に送信するための手段を含む。第２の通信装置は、予め定められた条件を満足する携帯端末の識別データを登録するための第２の登録手段をさらに含む。第２の通信装置の送信手段は、携帯端末から受信した識別データが第２の登録手段に登録されていると、検索された認証情報を携帯端末に送信するための手段を含む。
【００１０】
第２の発明によると、携帯端末は、自己の識別データ（たとえば、携帯端末が携帯電話である場合、識別データは電話番号）を第２の通信装置に送信する。第２の通信装置の第２の登録手段には、予め定められた条件を満足する携帯電話（たとえば、予め申込みがあった携帯電話）の電話番号を登録しておく。第２の通信装置は、携帯電話から受信した電話番号が第２の登録手段に登録されていると、検索された認証情報を携帯電話に送信する。このようにすると、予め申込まれた携帯電話に対してのみ、第１の通信装置との接続が可能になる。
【００１１】
第３の発明に係る無線通信認証システムは、第２の発明の構成に加えて、携帯端末は携帯電話であり、識別データは、携帯電話の電話番号であるものである。
【００１２】
第３の発明によると、携帯電話を用いて、第１の通信装置が接続を要求してき携帯電話に関する情報を有しなくても、高いセキュリティレベルでの認証を実現できる無線通信認証システムを提供することができる。
【００１３】
第４の発明に係る無線通信認証システムは、第１の発明の構成に加えて、第１の通信装置は、第２の通信装置と通信するための通信手段をさらに含む。第２の通信装置は、第１の通信装置と通信するための通信手段をさらに含む。記憶手段は、予め定められた条件が満足されると通信手段を用いて第２の通信装置から第１の通信装置へ送信される情報に基づいて、自己を識別するための識別情報と、識別情報に対応した認証情報とを記憶するための手段を含む。
【００１４】
第４の発明によると、予め定められた条件が満足されると（たとえば、第１の登録手段に登録された情報の作成時期になると）、第２の通信装置から第１の通信装置に認証情報が送信される。第１の通信装置は、第２の通信装置から送信された認証情報を記憶手段に記憶する。これにより、第２の通信装置が、予め定められた間隔で認証情報を作成して、セキュリティレベルをさらに上げることができる。
【００１５】
第５の発明に係る無線通信認証システムは、第１の発明の構成に加えて、第１の通信装置は、第２の通信装置と通信するための通信手段をさらに含む。第２の通信装置は、第１の通信装置と通信するための通信手段をさらに含む。第１の登録手段は、予め定められた条件が満足されると通信手段を用いて第１の通信装置から第２の通信装置へ送信される情報に基づいて、各第１の通信装置に対応して、識別情報と認証情報とを登録するための手段を含む。
【００１６】
第５の発明によると、予め定められた条件が満足されると（たとえば、記憶手段に記憶された認証情報の更新時期になると）、第１の通信装置から第２の通信装置に認証情報が送信される。第２の通信装置は、第１の通信装置から送信された認証情報を第１の登録手段に登録する。これにより、第１の通信装置が、予め定められた間隔で認証情報を更新して、セキュリティレベルをさらに上げることができる。
【００１７】
第６の発明に係る無線通信認証システムは、第１の発明の構成に加えて、第１の通信装置は、第２の通信装置と通信するための通信手段をさらに含む。第２の通信装置は、第１の通信装置と通信するための通信手段をさらに含む。携帯端末は、自己を識別するための識別データと、認証データとを記憶するための記憶手段をさらに含む。第１の送信手段は、識別データと認証データとともに、識別情報を第２の通信装置に送信するための手段を含む。第２の通信装置は、認証データが有効であるか否かを判断するための判断手段と、判断手段による判断に基づいて、識別データ、認証データおよび認証情報のいずれかを、携帯端末および第１の通信装置に送信するように、第２の通信装置の送信手段および通信手段を制御するための制御手段とをさらに含む。
【００１８】
第６の発明によると、携帯端末は、自己を識別する識別データ（たとえば、携帯電話の電話番号）と、認証データ（携帯電話側で設定されたパスワード）とを、第２の通信装置に送信する。第２の通信装置の判断手段は、携帯端末から送信された認証データが有効であると判断されるとその認証データを、有効でないと判断されると認証情報を、携帯端末と第１の通信装置とに送信する。これにより、より安全性の高い認証を行なうことができる。
【００１９】
第７の発明に係る無線通信認証システムは、第１〜３のいずれかの発明の構成に加えて、携帯端末は、携帯端末と第１の通信装置との間の通信に対する課金情報を作成するための作成手段と、作成手段に接続され、課金情報を第２の通信装置に送信するように、第１の送信手段を制御するための制御手段とをさらに含む。第２の通信装置は、携帯端末から受信した課金情報を記憶するための記憶手段と、携帯端末からの要求情報に応答して、記憶手段に記憶された課金情報を、携帯端末に送信するように、送信手段を制御するための制御手段とをさらに含む。携帯端末は、要求情報に応答して第２の通信装置から送信された課金情報を出力するための出力手段とをさらに含む。
【００２０】
第７の発明によると、携帯端末は、自己と第１の通信装置との間の通信に関する課金情報を作成する。作成された課金情報は、第２の通信装置に送信され、携帯端末ごとに予め定められた期間（たとえば、１ヶ月）積算される。携帯電話が課金情報の閲覧を要求すると、第２の通信装置の記憶手段で記憶された積算課金情報が、携帯端末に送信されて出力される。
【００２１】
第８の発明に係る無線通信認証システムは、第４〜６のいずれかの発明の構成に加えて、第１の通信装置は、携帯端末と第１の通信装置との間の通信に対する課金情報を作成するための作成手段と、作成手段に接続され、課金情報を第２の通信装置に送信するように、第１の通信装置の通信手段を制御するための制御手段とをさらに含む。第２の通信装置は、第１の通信装置から受信した課金情報を記憶するための記憶手段と、第１の通信装置からの要求情報に応答して、記憶手段に記憶された課金情報を第１の通信装置に送信するように、第２の通信装置の通信手段を制御するための制御手段とをさらに含む。第１の通信装置は、要求情報に応答して第２の通信装置から送信された課金情報を出力するための出力手段をさらに含む。
【００２２】
第８の発明によると、第１の通信装置は、自己と携帯端末との間の通信に関する課金情報を作成する。作成された課金情報は、第２の通信装置に送信され、第１の通信装置ごとに予め定められた期間（たとえば、１ヶ月）積算される。第１の通信装置が課金情報の閲覧を要求すると、第２の通信装置の記憶手段で記憶された積算課金情報が、第１の通信装置に送信されて出力される。
【００２３】
第９の発明に係る通信装置は、複数の第１の通信装置と、第２の通信装置と、各第１の通信装置と無線通信する携帯端末とを含む無線通信認証システムに用いられる第１の通信装置である。携帯端末は、第１の通信装置から識別情報を受信して、識別情報を第２の通信装置に送信する。第２の通信装置は、携帯端末から識別情報を受信して、各第１の通信装置に対応して登録された識別情報と認証情報とから、携帯端末から受信した識別情報に対応して登録された認証情報を検索して、検索された認証情報を携帯端末に送信する。携帯端末は、第２の通信装置から、検索された認証情報を受信して、携帯端末と第１の通信装置との接続を要求する情報を、第１の通信装置に送信する。第１の通信装置は、自己を識別するための識別情報と、識別情報に対応した認証情報とを記憶するための記憶手段と、記憶手段に接続され、携帯端末に識別情報を送信するための送信手段と、携帯端末から、検索された認証情報と接続を要求する情報とを受信するための受信手段と、受信手段と記憶手段とに接続され、記憶された認証情報に基づいて、携帯端末と第１の通信装置との接続の可否を判断するための判断手段とを含む。
【００２４】
第９の発明によると、携帯端末は、第１の通信装置から受信した、第１の通信装置の識別番号を、第２の通信装置に送信する。第２の通信装置には、各第１の通信装置に対応して、識別情報と認証情報とが登録されている。第２の通信装置は、携帯端末から受信した識別情報と一致する識別情報に対応して登録された認証情報を検索する。第２の通信装置は、検索された認証情報を携帯端末に送信する。携帯端末は、第２の通信装置から受信した認証情報をもとに、第１の装置との接続を要求する情報を送信する。第１の通信装置は、携帯端末からの接続要求時に記憶手段に記憶された認証情報を使って認証処理を行ない、成功すると、携帯端末との通信を可能と判断する。これにより、第１の通信装置と携帯端末との間で無線通信を行なうにあたり、接続を要求してきた携帯端末に関する情報を第１の通信装置が有しなくても、高いセキュリティレベルでの認証を実現できる無線通信認証システムにおいて用いられる第１の通信装置を提供することができる。
【００２５】
第１０の発明に係る通信装置は、第９の発明の構成に加えて、第２の通信装置と通信するための通信手段をさらに含む。記憶手段は、予め定められた条件が満足されると通信手段を用いて第２の通信装置から第１の通信装置へ送信される情報に基づいて、自己を識別するための識別情報と、識別情報に対応した認証情報とを記憶するための手段を含む。
【００２６】
第１０の発明によると、予め定められた条件が満足されると（たとえば、第２の通信装置に登録された情報の作成時期になると）、第２の通信装置から第１の通信装置に認証情報が送信される。第１の通信装置は、第２の通信装置から送信された認証情報を記憶手段に記憶する。これにより、第２の通信装置が、予め定められた間隔で認証情報を作成して、セキュリティレベルをさらに上げることができる。
【００２７】
第１１の発明に係る通信装置は、第９の発明の構成に加えて、第２の通信装置と通信するための通信手段と、携帯端末と第１の通信装置との間の通信に対する課金情報を作成するための作成手段と、作成手段に接続され、課金情報を第２の通信装置に送信するように、通信手段を制御するための制御手段と、要求情報に応答して第２の通信装置から送信された課金情報を出力するための出力手段とをさらに含む。
【００２８】
第１１の発明によると、第１の通信装置は、自己と携帯端末との間の通信に関する課金情報を作成する。作成された課金情報は、第２の通信装置に送信され、第１の通信装置ごとに予め定められた期間（たとえば、１ヶ月）積算される。第１の通信装置が課金情報の閲覧を要求すると、第２の通信装置で記憶された積算課金情報が、第１の通信手段に送信されて出力される。
【００２９】
第１２の発明に係る通信装置は、複数の第１の通信装置と、第２の通信装置と、各第１の通信装置と無線通信する携帯端末とを含む無線通信認証システムに用いられる第２の通信装置である。第１の通信装置は、自己を識別するための識別情報と、識別情報に対応した認証情報とを記憶し、携帯端末に識別情報を送信する。携帯端末は、第１の通信装置から受信した識別情報を第２の通信装置に送信し、第２の通信装置から、検索された認証情報を受信し、携帯端末と第１の通信装置との接続を要求する情報を、第１の通信装置に送信する。第１の通信装置は、携帯端末から、接続を要求する情報を受信し、検索された認証情報と記憶された認証情報とに基づいて、携帯端末と第１の通信装置との接続の可否を判断する。第２の通信装置は、携帯端末から識別情報を受信するための受信手段と、各第１の通信装置に対応して、識別情報と認証情報とを登録するための第１の登録手段と、受信手段と第１の登録手段とに接続され、携帯端末から受信した識別情報に基づいて、登録された認証情報を検索するための検索手段と、検索手段に接続され、検索された認証情報を携帯端末に送信するための送信手段とを含む。
【００３０】
第１２の発明によると、携帯端末は、第１の通信装置から受信した、第１の通信装置の識別番号を、第２の通信装置に送信する。第２の通信装置の第１の登録手段には、各第１の通信装置に対応して、識別情報と認証情報とが登録されている。第２の通信装置の検索手段は、携帯端末から受信した識別情報と一致する識別情報に対応して登録された認証情報を検索する。第２の通信装置は、検索された認証情報を携帯端末に送信する。携帯端末は、第２の通信装置から受信した認証情報をもとに、第１の装置との接続を要求する情報を送信する。第１の通信装置は、携帯端末からの接続要求時に記憶手段に記憶された認証情報を使って認証処理を行ない、成功すると、携帯端末との通信を可能と判断する。これにより、第１の通信装置と携帯端末との間で無線通信を行なうにあたり、接続を要求してきた携帯端末に関する情報を第１の通信装置が有しなくても、高いセキュリティレベルでの認証を実現できる無線通信認証システムにおいて用いられる第２の通信装置を提供することができる。
【００３１】
第１３の発明に係る通信装置は、第１２の発明の構成に加えて、予め定められた条件を満足する携帯端末の識別データを登録するための第２の登録手段をさらに含む。送信手段は、携帯端末から受信した識別データが第２の登録手段に登録されていると、検索された認証情報を携帯端末に送信するための手段を含む。
【００３２】
第１３の発明によると、携帯端末は、自己の識別データ（たとえば、携帯端末が携帯電話である場合、識別データは電話番号）を第２の通信装置に送信する。第２の通信装置の第２の登録手段には、予め定められた条件を満足する携帯電話（たとえば、予め申込みがあった携帯電話）の電話番号を登録しておく。第２の通信装置は、携帯電話から受信した電話番号が第２の登録手段に登録されていると、検索された認証情報を携帯電話に送信する。このようにすると、予め申込まれた携帯電話に対してのみ、第１の通信装置との接続が可能になる。
【００３３】
第１４の発明に係る通信装置は、第１２の発明の構成に加えて、第１の通信装置と通信するための通信手段をさらに含む。第１の登録手段は、予め定められた条件が満足されると通信手段を用いて第１の通信装置から第２の通信装置へ送信される情報に基づいて、各第１の通信装置に対応して、識別情報と認証情報とを登録するための手段を含む。
【００３４】
第１４の発明によると、予め定められた条件が満足されると（たとえば、記憶手段に記憶された認証情報の更新時期になると）、第１の通信装置から第２の通信装置に認証情報が送信される。第２の通信装置は、第１の通信装置から送信された認証情報を第１の登録手段に登録する。これにより、第１の通信装置が、予め定められた間隔で認証情報を更新して、セキュリティレベルをさらに上げることができる。
【００３５】
第１５の発明に係る通信装置は、第１２の発明の構成に加えて、第１の通信装置と通信するための通信手段と、認証データが有効であるか否かを判断するための判断手段と、判断手段による判断に基づいて、識別データ、認証データおよび認証情報のいずれかを、携帯端末および第１の通信装置に送信するように、送信手段および通信手段を制御するための制御手段とをさらに含む。
【００３６】
第１５の発明によると、携帯端末は、自己を識別する識別データ（たとえば、携帯電話の電話番号）と、認証データ（携帯電話側で設定されたパスワード）とを、第２の通信装置に送信する。第２の通信装置の判断手段は、携帯端末から送信された認証データが有効であると判断されるとその認証データを、有効でないと判断されると認証情報を、携帯端末と第１の通信装置とに送信する。これにより、より安全性の高い認証を行なうことができる。
【００３７】
第１６の発明に係る通信装置は、第１２または１３の発明の構成に加えて、携帯端末から受信した課金情報を記憶するための記憶手段と、携帯端末からの要求情報に応答して、記憶手段に記憶された課金情報を、携帯端末に送信するように、送信手段を制御するための制御手段とをさらに含む。
【００３８】
第１６の発明によると、携帯端末は、自己と第１の通信装置との間の通信に関する課金情報を作成する。作成された課金情報は、第２の通信装置に送信され、携帯端末ごとに予め定められた期間（たとえば、１ヶ月）積算される。携帯電話が課金情報の閲覧を要求すると、第２の通信装置の記憶手段で記憶された積算課金情報が、携帯端末に送信されて出力される。
【００３９】
第１７の発明に係る通信装置は、第１４または１５の発明の構成に加えて、第１の通信装置から受信した課金情報を記憶するための記憶手段と、第１の通信装置からの要求情報に応答して、記憶手段に記憶された課金情報を第１の通信装置に送信するように、通信手段を制御するための制御手段とをさらに含む。
【００４０】
第１７の発明によると、第１の通信装置は、自己と携帯端末との間の通信に関する課金情報を作成する。作成された課金情報は、第２の通信装置に送信され、第１の通信装置ごとに予め定められた期間（たとえば、１ヶ月）積算される。第１の通信装置が課金情報の閲覧を要求すると、第２の通信装置の記憶手段で記憶された積算課金情報が、第１の通信装置に送信されて出力される。
【００４１】
第１８の発明に係る携帯端末は、複数の第１の通信装置と、第２の通信装置と、各第１の通信装置と無線通信する携帯端末とを含む無線通信認証システムに用いられる携帯端末である。第１の通信装置は、自己を識別するための識別情報と、識別情報に対応した認証情報とを記憶し、携帯端末に識別情報を送信する。第２の通信装置は、携帯端末から識別情報を受信し、各第１の通信装置に対応して、識別情報と認証情報とを登録し、携帯端末から受信した識別情報に基づいて、登録された認証情報を検索し、検索された認証情報を携帯端末に送信する。第１の通信装置は、携帯端末から、接続を要求する情報を受信し、記憶された認証情報に基づいて、携帯端末と第１の通信装置との接続の可否を判断する。携帯端末は、第１の通信装置から識別情報を受信するための第１の受信手段と、識別情報を第２の通信装置に送信するための第１の送信手段と，第２の通信装置から、検索された認証情報を受信するための第２の受信手段と、携帯端末と第１の通信装置との接続を要求する情報を、第１の通信装置に送信するための第２の送信手段とを含む。
【００４２】
第１８の発明によると、携帯端末は、第１の通信装置から受信した、第１の通信装置の識別番号を、第２の通信装置に送信する。第２の通信装置には、各第１の通信装置に対応して、識別情報と認証情報とが登録されている。第２の通信装置は、携帯端末から受信した識別情報と一致する識別情報に対応して登録された認証情報を検索する。第２の通信装置は、検索された認証情報を携帯端末に送信する。携帯端末は、第２の通信装置から受信した認証情報をもとに、第１の装置との接続を要求する情報を送信する。第１の通信装置は、携帯端末からの接続要求時に、記憶手段に記憶された認証情報を使って認証処理を行ない、成功すると、通信を可能と判断する。これにより、第１の通信装置と携帯端末との間で無線通信を行なうにあたり、接続を要求してきた携帯端末に関する情報を第１の通信装置が有しなくても、高いセキュリティレベルでの認証を実現できる無線通信認証システムにおいて用いられる携帯端末を提供することができる。
【００４３】
第１９の発明に係る携帯端末は、第１８の発明の構成に加えて、自己を識別するための識別データを記憶するための記憶手段をさらに含む。第１の送信手段は、識別データとともに、識別情報を第２の通信装置に送信するための手段を含む。
【００４４】
第１９の発明によると、携帯端末は、自己の識別データ（たとえば、携帯端末が携帯電話である場合、識別データは電話番号）を第２の通信装置に送信する。第２の通信装置の第２の登録手段には、予め定められた条件を満足する携帯電話（たとえば、予め申込みがあった携帯電話）の電話番号を登録しておく。第２の通信装置は、携帯電話から受信した電話番号が第２の登録手段に登録されていると、検索された認証情報を携帯電話に送信する。このようにすると、予め申込まれた携帯電話に対してのみ、第１の通信装置との接続が可能になる。
【００４５】
第２０の発明に係る携帯端末は、第１９の発明の構成に加えて、携帯電話であり、識別データは、携帯電話の電話番号であるものである。
【００４６】
第２０の発明によると、携帯電話を用いて、第１の通信装置が接続を要求してき携帯電話に関する情報を有しなくても、高いセキュリティレベルでの認証を実現できる無線通信認証システムを提供することができる。
【００４７】
第２１の発明に係る携帯端末は、第１８の発明の構成に加えて、自己を識別するための識別データと、認証データとを記憶するための記憶手段をさらに含む。第１の送信手段は、識別データと認証データとともに、識別情報を第２の通信装置に送信するための手段を含む。
【００４８】
第２１の発明によると、携帯端末は、自己を識別する識別データ（たとえば、携帯電話の電話番号）と、認証データ（携帯電話側で設定されたパスワード）とを、第２の通信装置に送信する。第２の通信装置は、携帯端末から送信された認証データが有効であると判断されるとその認証データを、有効でないと判断されると認証情報を、携帯端末と第１の通信装置とに送信する。これにより、より安全性の高い認証を行なうことができる。
【００４９】
第２２の発明に係る携帯端末は、第１８〜２０のいずれかの発明の構成に加えて、携帯端末と第１の通信装置との間の通信に対する課金情報を作成するための作成手段と、作成手段に接続され、課金情報を第２の通信装置に送信するように、第１の送信手段を制御するための制御手段と、要求情報に応答して第２の通信装置から送信された課金情報を出力するための出力手段とをさらに含む。
【００５０】
第２２の発明によると、携帯端末は、自己と第１の通信装置との間の通信に関する課金情報を作成する。作成された課金情報は、第２の通信装置に送信され、携帯端末ごとに予め定められた期間（たとえば、１ヶ月）積算される。携帯電話が課金情報の閲覧を要求すると、第２の通信装置の記憶手段で記憶された積算課金情報が、携帯端末に送信されて出力される。
【００５１】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。
【００５２】
＜第１の実施の形態＞
図１を参照して、本実施の形態に係る無線通信認証システムの全体構成を説明する。なお、以下の説明では、携帯端末として携帯電話を例に、第１の通信装置として街中のホットスポットに設置されたホットスポットコンピュータを例に、第２の通信装置として携帯電話と携帯電話網で接続されたサーバ装置を例に説明する。図１に示すように、このシステムは、街中に設置されたホットスポットコンピュータ２００と、ホットスポットコンピュータ２００と近距離無線通信を行なう携帯電話３００と、携帯電話３００と携帯電話網で接続されたサーバ装置１００とを含む。ホットスポット２００と携帯電話３００との間は、Bluetoothと呼ばれる近距離無線通信でデータ通信が実現される。サーバ装置１００と携帯電話３００との間は、携帯電話基地局４００と携帯電話網ネットワーク５００とを介してデータ通信が実現される。なお、サーバ装置１００と携帯電話３００との間は、有線で接続されるものであってもよい。なお、第１の通信装置により実現される第１の通信手段と、第２の通信装置により実現される第２の通信手段とが、同じであってもよい。
【００５３】
図２に、サーバ装置１００の一例であるコンピュータシステムの制御ブロックを示す。図２を参照してこのコンピュータシステムは、ＦＤ（Flexible Disk）駆動装置１０６およびＣＤ−ＲＯＭ（Compact Disc-Read Only Memory)駆動装置１０８を備えたコンピュータ１０２と、モニタ１０４と、キーボード１１０と、マウス１１２とを含む。さらに、このコンピュータ１０２は、上記したＦＤ駆動装置１０６およびＣＤ−ＲＯＭ駆動装置１０８に加えて、相互にバスで接続されたＣＰＵ（Central Processing Unit）１２０と、メモリ１２２と、固定ディスク１２４と、携帯電話網通信部１２６とを含む。ＦＤ駆動装置１０６にはＦＤ１１６が装着される。ＣＤ−ＲＯＭ駆動装置１０８にはＣＤ−ＲＯＭ１１８が装着される。
【００５４】
このサーバ装置１００における処理は、コンピュータハードウェアとＣＰＵ１２０により実行されるソフトウェアとにより実現される。一般的にこうしたソフトウェアは、ＦＤ１１６、ＣＤ−ＲＯＭ１１８などの記録媒体に格納されて流通し、ＦＤ駆動装置１０６またはＣＤ−ＲＯＭ駆動装置１０８などにより記録媒体から読取られて固定ディスク１２４に一旦格納される。さらに固定ディスク１２４からメモリ１２２に読出されて、ＣＰＵ１２０により実行される。図２に示したコンピュータのハードウェア自体は一般的なものである。したがって、本発明の最も本質的な部分は、ＦＤ１１６、ＣＤ−ＲＯＭ１１８、固定ディスク１２４などの記録媒体に記録されたソフトウェアである。
【００５５】
なお、図２に示したコンピュータ自体の動作は周知であるので、ここではその詳細な説明は繰返さない。
【００５６】
図３に、ホットスポットコンピュータ２００の一例であるコンピュータシステムの制御ブロックを示す。図３を参照してこのコンピュータシステムは、図２を用いて説明したサーバ装置１００と異なるプログラムを実行するＣＰＵ２２０と、異なる情報を記憶する固定ディスク２２４と、携帯電話３００との間で近距離無線通信を行なうBluetooth通信部２２６とを含む。
【００５７】
このホットスポットコンピュータ２００における処理も、サーバ装置１００と同様、コンピュータハードウェアとＣＰＵ２２０により実行されるソフトウェアとにより実現される。図３に示したコンピュータのハードウェア自体は一般的なものであって、本発明の最も本質的な部分は、ＦＤ１１６、ＣＤ−ＲＯＭ１１８、固定ディスク２２４などの記録媒体に記録されたソフトウェアである。
【００５８】
なお、図３に示したコンピュータ自体の動作も周知であるので、ここではその詳細な説明は繰返さない。
【００５９】
図４を参照して、本実施の形態に係る携帯電話３００の制御ブロックについて説明する。図４に示すように、携帯電話３００は、ユーザとのインターフェイスである入出力部１１０と、この携帯電話３００の全体を制御する制御部３２０と、サーバ装置１００と通信するための携帯電話網通信部３３０と、ホットスポットコンピュータ２００と通信するためのBluetooth通信部３４０と、制御部１０２において実行されるプログラム、そのプログラムの中間データおよび他の装置から受信したデータを記憶する記憶部３５０とを含む。入出力部３１０は、テンキーなどにより、この携帯電話のユーザが他の電話装置の電話番号を入力したり、受信した電子メールを検索するための項目を入力したり、受信した電子メールの表示要求を入力したりする操作部３１２と、ユーザに情報を表示するＬＣＤ（Liquid Crystal Display）からなる表示部３１４と、音声を入力するマイクからなる音声入力部３１６と、音声を出力するスピーカからなる音声出力部３１８とを含む。
【００６０】
本実施の形態に係る携帯電話３００において、ユーザがホットスポットコンピュータ２００との通信のための認証をサーバ装置１００で行わせる処理も、携帯電話３００のハードウェアと制御部３２０により実行されるソフトウェアとにより実現される。図４に示した携帯電話３００のハードウェア自体は一般的なものであって、本発明の最も本質的な部分は、記憶部３５０などに記録されたソフトウェアである。
【００６１】
なお、図４に示した携帯電話自体の動作も周知であるので、ここではその詳細な説明は繰返さない。
【００６２】
図５を参照して、本実施の形態に係るサーバ装置１００の固定ディスク１２４に記憶される管理テーブルについて説明する。図５に示すように、この管理テーブルは、ホットスポットＩＤ（Identification）ごとに認証情報であるパスワードを記憶する。たとえば、ホットスポットＩＤが「ＡＤＤＲ＿Ａ（１）」の場合には、認証情報としてのパスワードは「ＡＵＴＨ＿Ａ（１）」である。このようなホットスポットＩＤとパスワードとを組にした情報が、ホットスポットコンピュータの数であるｎ個分記憶されている。
【００６３】
図６に、本実施の形態に係る携帯電話３００からホットスポットコンピュータ２００へ送信される検索要求コマンドを、図７に、ホットスポットコンピュータ２００から携帯電話３００に送信される検索応答コマンドを、図８に、携帯電話３００からサーバ装置１００へ送信される識別情報通知コマンドを、図９に、サーバ装置１００から携帯電話３００に送信される認証情報通知コマンドを示す。図６に示す検索要求コマンドは、携帯電話３００からホットスポットコンピュータ２００に対して、ブロードキャスト送信される。このとき携帯電話３００は、ホットスポットコンピュータ２００を個々に識別する情報を有しない。図７および図８に示すように、検索応答コマンドおよび識別情報通知コマンドは、それぞれホットスポットＩＤを含む。図９に示すように、認証情報通知コマンドは、ホットスポットＩＤとパスワードとを含む。このホットスポットＩＤとパスワードとは、前述の図５に示す管理テーブルに記憶されたものである。ここで、ホットスポットＩＤは、ホットスポットコンピュータのBluetooth通信部のユニークな物理アドレスであっても、位置情報であってもよい。
【００６４】
図１０を参照して、本実施の形態に係る携帯電話３００で実行されるプログラムは、以下のような制御構造を有する。
【００６５】
ステップ（以下、ステップをＳと略す。）３００にて、携帯電話３００の制御部３２０は、携帯電話３００の操作部３１２から入力された情報に基づいて、検索要求を検知したか否かを判断する。検索要求を検知すると（Ｓ３００にてＹＥＳ）、処理はＳ３０２へ移される。もしそうでないと（Ｓ３００にてＮＯ）、処理はＳ３００に戻され、携帯電話３００のユーザが検索要求を入力するまで待つ。
【００６６】
Ｓ３０２にて、制御部３２０は、Bluetooth通信部３４０を用いて、検索要求コマンド（図６）をブロードキャスト送信する。Ｓ３０４にて、制御部３２０は、検索応答コマンド（図７）を受信したか否かを判断する。この検索応答コマンドは、Bluetooth通信部３４０を介して、ホットスポットコンピュータ２００から受信する。検索応答コマンドを受信すると（Ｓ３０４にてＹＥＳ）、処理はＳ３０６へ移される。もしそうでないと（Ｓ３０４にてＮＯ）、処理はＳ３００へ戻され、ホットスポットコンピュータ２００から検索応答コマンドを受信するまで待つ。
【００６７】
Ｓ３０６にて、制御部３２０は、携帯電話網通信部３３０を用いて、識別情報通知コマンド（図８）をサーバ装置１００に送信する。Ｓ３０８にて、制御部３２０は、認証情報通知コマンド（図９）をサーバ装置１００から受信したか否かを判断する。認証情報通知コマンドをサーバ装置１００から受信すると（Ｓ３０８にてＹＥＳ）、処理はＳ３１０へ移される。もしそうでないと（Ｓ３０８にてＮＯ）、処理はＳ３０８へ戻され、サーバ装置１００から認証情報通知コマンドを受信するまで待つ。
【００６８】
Ｓ３１０にて、制御部３２０は、認証情報通知コマンド（図９）のパスワードをBluetooth通信部３４０に設定する。Ｓ３１２にて、制御部３２０は、Bluetooth通信部３４０を用いて、携帯電話３００とホットスポットコンピュータ２００との間でデータ通信を行なう。
【００６９】
Ｓ３１４にて、制御部３２０は、データ通信が終了するか否かを判断する。この判断は、たとえば、携帯電話３００の操作部３１２から入力された情報に基づいて行なわれる。データ通信を終了する場合には（Ｓ３１４にてＹＥＳ）、処理はＳ３１６に移される。もしそうでないと（Ｓ３１４にてＮＯ）、処理はＳ３１２へ戻され、Bluetooth通信部３４０を用いて、携帯電話３００とホットスポットコンピュータ２００との間でのデータ通信が継続される。
【００７０】
Ｓ３１６にて、制御部３２０は、Bluetooth通信部３４０を用いたデータ通信の切断処理を行なう。
【００７１】
図１１を参照して、本実施の形態に係るホットスポットコンピュータ２００で実行されるプログラムは、以下のような制御構造を有する。
【００７２】
Ｓ２００にて、ホットスポットコンピュータ２００のＣＰＵ２２０は、検索要求コマンド（図６）を受信したか否かを判断する。この検索要求コマンドは携帯電話３００からBluetooth通信部２２６を介して受信する。検索要求コマンドを受信すると（Ｓ２００にてＹＥＳ）、処理はＳ２０２へ移される。もしそうでないと（Ｓ２００にてＮＯ）、処理はＳ２００へ戻され、携帯電話３００から検索要求コマンドを受信するまで待つ。
【００７３】
Ｓ２０２にて、ＣＰＵ２２０は、Bluetooth通信部２２６を用いて、検索応答コマンド（図７）を携帯電話３００に送信する。Ｓ２０４にて、ＣＰＵ２２０は、データ通信接続要求を受信したか否かを判断する。この判断は、携帯電話３００からBluetooth通信部２２６を介して受信した情報に基づいて行なわれる。データ通信接続要求を受信すると（Ｓ２０４にてＹＥＳ）、処理はＳ２０６へ移される。もしそうでないと（Ｓ２０４にてＮＯ）、処理はＳ２００へ戻され、携帯電話３００からデータ通信接続要求を受信するまで待つ。
【００７４】
Ｓ２０６にて、ＣＰＵ２２０は、メモリ１２２からパスワードを読出す。なお、ホットスポットコンピュータ２００のメモリ１２２には、それぞれのホットスポットコンピュータ２００に対応するホットスポットＩＤとパスワードとが記憶されている。Ｓ２０８にて、ＣＰＵ２２０は、メモリ１２２から読出したパスワードをBluetooth通信部２２６に設定する。
【００７５】
Ｓ２１０にて、ＣＰＵ２２０は、Bluetooth通信部２２６を用いて、携帯電話３００とホットスポットコンピュータ２００との間でデータ通信を行なう。Ｓ２１２にて、ＣＰＵ２２０は、データ通信を終了するか否かを判断する。この判断は、ホットスポットコンピュータ２００のキーボード１１０またはマウス１１２から入力された情報に基づいて行なわれる。データ通信を終了する場合には（Ｓ２１２にてＹＥＳ）、処理はＳ２１４へ移される。もしそうでないと（Ｓ２１２にてＮＯ）、処理はＳ２１０へ戻され、Bluetooth通信部２２６を用いた携帯電話３００とホットスポットコンピュータ２００との間のデータ通信が継続される。
【００７６】
Ｓ２１４にて、ＣＰＵ２２０は、Bluetooth通信部２２６を用いたデータ通信の切断処理を行なう。
【００７７】
図１２を参照して、本実施の形態に係るサーバ装置１００で実行されるプログラムは、以下のような制御構造を有する。
【００７８】
Ｓ１００にて、サーバ装置１００のＣＰＵ１２０は、携帯電話３００から識別情報通知コマンド（図８）を受信したか否かを判断する。この判断は、携帯電話３００から携帯電話網通信部１２６を介して受信した情報に基づいて行なわれる。識別情報通知コマンドを受信すると（Ｓ１００にてＹＥＳ）、処理はＳ１０２へ移される。もしそうでないと（Ｓ１００にてＮＯ）、処理はＳ１００へ戻され、携帯電話３００から識別情報通知コマンドを受信するまで待つ。
【００７９】
Ｓ１０２にて、ＣＰＵ１２０は、固定ディスク１２４に記憶された管理テーブル（図５）から識別情報通知コマンド（図８）に含まれるホットスポットＩＤに対応するパスワードを読出す。Ｓ１０４にて、ＣＰＵ１２０は、携帯電話網通信部１２６を用いて、パスワードを含む認証情報通知コマンド（図９）を携帯電話３０２に送信する。
【００８０】
以上のような構造およびフローチャートに基づく、本実施の形態に係る無線通信認証システムの動作について説明する。
【００８１】
携帯電話３００のユーザが、携帯電話３００の操作部３１２からホットスポットコンピュータの検索要求を入力すると（Ｓ３００にてＹＥＳ）、Bluetooth通信部３４０を用いて、検索要求コマンド（図６）が、ブロードキャスト送信される（Ｓ３０２）。
【００８２】
携帯電話３００のBluetooth通信部３４０の通信範囲内にあるホットスポットコンピュータ２００は、検索要求コマンド（図６）を受信する（Ｓ２００にてＹＥＳ）。ホットスポットコンピュータ２００は、Bluetooth通信部２２６を用いて、検索応答コマンド（図７）を検索要求コマンドを送信してきた携帯電話３００に送信する（Ｓ２０２）。
【００８３】
携帯電話３００は、ホットスポットコンピュータ２００から送信された検索応答コマンド（図７）を受信する（Ｓ３０４にてＹＥＳ）。携帯電話３００は、携帯電話網通信部３３０を用いて、識別情報通知コマンド（図８）をサーバ装置１００に送信する（Ｓ３０６）。サーバ装置１００は、識別情報通知コマンド（図８）を受信すると（Ｓ１００にてＹＥＳ）、固定ディスク１２４に記憶された管理テーブル（図５）から、識別情報通知コマンド（図８）に含まれるホットスポットＩＤに対応するパスワードを読出す（Ｓ１０２）。サーバ装置１００は、携帯電話網通信部１２６を用いて、パスワードを含む認証情報通知コマンド（図９）を携帯電話３００に送信する（Ｓ１０４）。
【００８４】
携帯電話３００は認証情報通知コマンド（図９）を受信すると（Ｓ３０８にてＹＥＳ）、認証情報通知コマンドのパスワードをBluetooth通信部３４０に設定する（Ｓ３１０）。携帯電話３００は、Bluetooth通信部３４０を用いて、携帯電話３００とホットスポットコンピュータ２００との間でデータ通信が開始される（Ｓ３１２）。このとき、携帯電話３００とホットスポットコンピュータ２００との間で、Bluetooth通信部３４０に設定されたパスワードをもとに認証処置が行なわれる。
【００８５】
ホットスポットコンピュータ２００は、データ通信接続要求を受信すると（Ｓ２０４にてＹＥＳ）、メモリ１２２からパスワードを読出す（Ｓ２０６）。読出されたパスワードがBluetooth通信部２２６に設定され（Ｓ２０８）、Bluetooth通信部２２６を用いて、携帯電話３００とホットスポットコンピュータ２００との間でデータ通信が開始される（Ｓ２１０）。このとき、携帯電話３００のBluetooth通信部３４０に設定されたパスワードと、ホットスポットコンピュータ２００のBluetooth通信部２２６に設定されたパスワードにて認証処理が行なわれ、成功した場合にのみ通信が可能となる。
【００８６】
データ通信中において携帯電話３００のユーザがデータ通信終了を要求する（Ｓ３１４にてＹＥＳ）、またはホットスポットコンピュータ２００がデータ通信終了を要求する（Ｓ２１２にてＹＥＳ）、携帯電話３００およびホットスポットコンピュータ２００においてそれぞれデータ通信の切断処理が行なわれる（Ｓ３１６、Ｓ２１４）。
【００８７】
以上のようにして、本実施の形態に係る無線通信認証システムによると、ホットスポットコンピュータには、通信相手である携帯電話の識別情報および認証情報を記憶する必要なく、ホットスポットコンピュータのメモリに記憶されたパスワードと、携帯電話がサーバ装置から入手したパスワードとが一致する場合にのみデータ通信を実行することができる。これにより、ホットスポットコンピュータとサーバ装置とが接続されていなくてもかつホットスポットコンピュータに通信相手先である携帯電話の識別情報および認証情報が記憶されていなくても、高いセキュリティレベルでの認証を実現できる無線通信認証システムを提供することができる。
【００８８】
＜第２の実施の形態＞
以下、本発明の第２の実施の形態に係る無線通信認証システムについて説明する。なお、本実施の形態に係る無線通信認証システムは、前述の第１の実施の形態に係る無線通信認証システムと同じハードウェア構成を有する。そのため、それらについての詳細な説明はここでは繰返さない。
【００８９】
図１３を参照して、本実施の形態に係るサーバ装置１００の固定ディスク１２４に記憶される携帯電話管理テーブルについて説明する。図１３に示すように、携帯電話管理テーブルは、登録ＩＤごとに、携帯電話の電話番号を記憶する。この携帯電話管理テーブルは、予め携帯電話３００のユーザがホットスポットコンピュータ２００との通信を要求する場合に、予めサーバ装置１００に登録する情報である。
【００９０】
図１４を参照して、本実施の形態に係る携帯電話３００からサーバ装置１００へ送信される識別情報通知コマンドについて説明する。図１４に示すように、識別情報通知コマンドは、ホットスポットＩＤと携帯電話３００の電話番号とを含む。
【００９１】
図１５を参照して、本実施の形態に係る携帯電話３００で実行されるプログラムは、以下のような制御構造を有する。なお、図１５に示すフローチャートの中で、前述の図１０に示したフローチャートと同じ処理については同じステップ番号を付してある。それらについての処理も同じである。したがって、それらについてのここでの詳細な説明は繰返さない。
【００９２】
Ｓ３２０にて、携帯電話３００の制御部３２０は、携帯電話網通信部３３０を用いて、識別情報通知コマンド（携帯電話の電話番号を含むものであって、図１４に示すもの）をサーバ装置１００に送信する。
【００９３】
図１６を参照して、本実施の形態に係るサーバ装置１００で実行されるプログラムは、以下のような制御構造を有する。なお、図１６に示すフローチャートの中で、前述の図１２に示したフローチャートと同じ処理については、同じステップ番号を付してある。それらについての処理も同じである。したがって、それらについての詳細な説明はここでは繰返さない。
【００９４】
Ｓ１１０にて、ＣＰＵ１２０は、識別情報通知コマンド（図１４）に含まれる携帯電話の電話番号が、携帯電話管理テーブル（図１３）に登録されているか否かを判断する。Ｓ１１２にて、携帯電話管理テーブルに、電話番号が登録されていると（Ｓ１１２にてＹＥＳ）、処理はＳ１０２へ移される。もしそうでないと（Ｓ１１２にてＮＯ）、処理はＳ１１４へ移される。
【００９５】
Ｓ１１４にて、ＣＰＵ１２０は、エラー処理を行なう。このＳ１１４におけるエラー処理において、サーバ装置１００のＣＰＵ１２０は、携帯電話網通信部１２６を用いて、携帯電話３００に、携帯電話管理テーブルに電話番号が登録されていない旨を通知する。
【００９６】
以上のような構造およびフローチャートに基づく、本実施の形態に係る無線通信認証システムの動作について説明する。なお、以下の動作の説明の中で前述の第１の実施の形態と同じ動作については、ここでは繰返さない。
【００９７】
携帯電話３００のユーザが携帯電話３００を用いて検索要求コマンドをブロードキャスト送信して（Ｓ３０２）検索応答コマンドを受信すると（Ｓ３０４にてＹＥＳ）、携帯電話３００は、携帯電話網通信部３３０を用いて、識別情報通知コマンド（図４）をサーバ装置１００に送信する。
【００９８】
サーバ装置１００は、識別情報通知コマンド（図１４）を受信すると（Ｓ１００にてＹＥＳ）、識別情報通知コマンドに含まれる携帯電話の電話番号が、携帯電話管理テーブル（図１３）に登録されているか否かを判断する（Ｓ１１０）。登録されている場合には（Ｓ１１２にてＹＥＳ）、固定ディスク１２４に記憶された管理テーブルから、識別情報通知コマンドに含まれるホットスポットＩＤに対応するパスワードが読出され（Ｓ１０２）、携帯電話網通信部１２６を用いて、パスワードを含む認証情報通知コマンドが携帯電話３００に送信される。
【００９９】
以上のようにして、本実施の形態に係る無線通信認証システムによると、予め登録された携帯電話の電話番号に対してのみ、携帯電話とホットスポットコンピュータとの間の通信において必要となるパスワードが送信される。これにより、さらに高いセキュリティレベルを確保することができる。
【０１００】
＜第３の実施の形態＞
以下、本発明の第３の実施の形態に係る無線通信認証システムについて説明する。
【０１０１】
図１７に、本実施の形態に係る無線通信認証システムの全体構成について説明する。なお、図１７に示す全体構成の中で前述の図１に示した全体構成と同じ構成については同じ参照符号を付してある。それらについての機能も同じである。したがって、それらについての詳細な説明は繰返さない。図１７に示すように、本実施の形態に係る無線通信認証システムは、前述の第１の実施の形態に係る無線通信認証システムとは機能が異なるサーバ装置１０００とホットスポットコンピュータ２０００とを含む。サーバ装置１０００とホットスポットコンピュータ２０００とは、ネットワーク５１０を介して接続されている。なお、図１０に示すように携帯電話網ネットワーク５００とネットワーク５１０とは別体のものであってもよいし、同じものであってもよい。また、第１の通信装置により実現される第１の通信手段と、第３の通信装置により実現される第３の通信手段とが、同じであってもよい。
【０１０２】
図１８を参照して、本実施の形態に係るサーバ装置１０００の制御ブロックについて説明する。なお、図１８に示す制御ブロックの中で、前述の図２に示した制御ブロックと同じ構成については同じ参照符号を付してある。それらについての機能も同じである。したがって、それらについての詳細な説明は繰返さない。サーバ装置１０００は、前述の第１の実施の形態に係るサーバ装置１００に加えて、ネットワーク通信部１２８を含む。ネットワーク通信部１２８は、サーバ装置１０００とホットスポットコンピュータ２０００とを、ネットワーク５１０を介して通信するためのものである。
【０１０３】
図１９を参照して、本実施の形態に係るホットスポットコンピュータの制御ブロックについて説明する。なお、このホットスポットコンピュータの制御ブロックについても、サーバ装置１０００の制御ブロックと同様、前述の第１の実施の形態に係るホットスポットコンピュータ２００に、ネットワーク通信部２２８を加えたものである。それ以外の構成は、前述の第１の実施の形態の図３に示した制御ブロックと同じである。したがって、それらについての詳細な説明はここでは繰返さない。
【０１０４】
図２０に、本実施の形態に係るサーバ装置１０００からホットスポットコンピュータ２０００に送信される識別情報登録コマンドを、図２１に、本実施の形態に係るサーバ装置１０００からホットスポットコンピュータ２０００に送信される認証情報登録コマンドを示す。図２０に示すように、識別情報登録コマンドは、ホットスポットＩＤを、図２１に示すように、認証情報登録コマンドは、パスワードを含む。
【０１０５】
図２２を参照して、本実施の形態に係るサーバ装置１０００で実行されるプログラムは、以下のような制御構造を有する。
【０１０６】
Ｓ１２０にて、サーバ装置１０００のＣＰＵ１２０は、前回の登録コマンドの送信から予め定められた時間が経過したか否かを判断する。前回の登録コマンドの送信から予め定められた時間が経過すると（Ｓ１２０にてＹＥＳ）、処理はＳ１２２へ移される。もしそうでないと（Ｓ１２０にてＮＯ）、処理はＳ１２０へ戻され、前回の登録コマンドの送信から予め定められた時間が経過するまで待つ。
【０１０７】
Ｓ１２２にて、ＣＰＵ１２０は、固定ディスク１２４に記憶された管理テーブル（図５）のパスワードを変更する。Ｓ１２４にて、ＣＰＵ１２０は、ネットワーク通信部１２８を用いて、識別情報登録コマンド（図２０）と認証情報登録コマンド（図２１）とをホットスポットコンピュータ２０００に送信する。
【０１０８】
図２３を参照して、本実施の形態に係るホットスポットコンピュータ２０００で実行されるプログラムは、以下のような制御構造を有する。
【０１０９】
Ｓ２２０にて、ホットスポットコンピュータ２０００のＣＰＵ２２０は、識別情報登録コマンド（図２０）を受信したか否かを判断する。識別情報登録コマンドを受信すると（Ｓ２２０にてＹＥＳ）、処理はＳ２２２へ移される。もしそうでないと（Ｓ２２０にてＮＯ）、処理はＳ２２４へ移される。
【０１１０】
Ｓ２２２にて、ＣＰＵ２２０は、メモリ１２２に、受信した識別情報を記憶する。
【０１１１】
Ｓ２２４にて、ＣＰＵ２２０は、認証情報登録コマンド（図２１）を受信したか否かを判断する。認証情報登録コマンドを受信すると（Ｓ２２４にてＹＥＳ）、処理はＳ２２６へ移される。もしそうでないと（Ｓ２２４にてＮＯ）、処理はＳ２２０へ戻される。
【０１１２】
Ｓ２２６にて、ＣＰＵ２２０は、メモリ１２２に受信した認証情報を記憶する。その後、処理はＳ２２０へ戻される。なお、サーバ装置１００からホットスポットコンピュータ２００に送信される識別情報登録コマンドと認証情報登録コマンドとは、図５に示す管理テーブルにおいてそれぞれ対応する組合せで送信される。
【０１１３】
以上のような構造およびフローチャートに基づく、本実施の形態に係る無線通信認証システムの動作について説明する。サーバ装置１０００において、前回登録コマンドの送信から予め定められた時間が経過すると（Ｓ１２０にてＹＥＳ）、固定ディスク１２４に記憶された管理テーブル（図５）のパスワードを変更する。このとき、サーバ装置１０００のＣＰＵ１２０は、管理テーブル（図５）のパスワードを任意の文字列等に変更する。サーバ装置１０００は、ネットワーク通信部１２８を用いて、識別情報登録コマンド（図２０）と認証情報登録コマンド（図２１）とを、ホットスポットコンピュータ２０００に送信する（Ｓ１２４）。
【０１１４】
ホットスポットコンピュータ２０００は、サーバ装置１０００から識別情報登録コマンド（図２０）を受信すると（Ｓ２２０にてＹＥＳ）、受信した識別情報登録コマンドのホットスポットＩＤをメモリ１２２に記憶する（Ｓ２２２）。ホットスポットコンピュータ２０００はサーバ装置１０００から認証情報登録コマンド（図２１）を受信すると（Ｓ２２４にてＹＥＳ）、受信した認証情報登録コマンドのパスワードをメモリ１２２に記憶する（Ｓ２２６）。
【０１１５】
以上のようにして、本実施の形態に係る無線通信認証システムによると、サーバ装置において予め定められた条件が満足されると（予め定められた時間が経過）管理テーブルに記憶されたパスワードが変更される。これにより、パスワードが時間の経過に伴って変更され、パスワードの漏洩を防ぐことができる。
【０１１６】
＜第４の実施の形態＞
以下、本発明の第４の実施の形態に係る無線通信認証システムについて説明する。なお、本実施の形態に係る無線通信認証システムのハードウェア構成は、前述の第３の実施の形態のハードウェア構成と同じである。したがって、それらについての詳細な説明はここでは繰返さない。
【０１１７】
図２４に、本実施の形態に係るサーバ装置１０００からホットスポットコンピュータ２０００に送信される識別情報要求コマンドを、図２５に、サーバ装置１０００からホットスポットコンピュータ２０００に送信される認証情報要求コマンドを、図２６に、ホットスポットコンピュータ２０００からサーバ装置１０００に送信される識別情報登録コマンドを、図２７に、ホットスポットコンピュータ２０００からサーバ装置１０００に送信される認証情報登録コマンドを示す。図２４に示す識別情報要求コマンドおよび図２５に示す認証情報要求コマンドは、サーバ装置１０００において管理テーブル（図５）を作成する場合または更新する場合に、ホットスポットコンピュータ２０００に対して送信される。図２６に示す識別情報登録コマンドは、ホットスポットＩＤを、図２７に示す認証情報登録コマンドは、パスワードをそれぞれ含む。
【０１１８】
図２８を参照して、本実施の形態に係るサーバ装置１０００で実行されるプログラムは、以下のような制御構造を有する。
【０１１９】
Ｓ１３０にて、サーバ装置１０００のＣＰＵ１２０は、管理テーブル作成タイミングに到達したか否かを判断する。管理テーブル作成タイミングに到達すると（Ｓ１３０にてＹＥＳ）、処理はＳ１３２へ移される。もしそうでないと（Ｓ１３０にてＮＯ）、処理はＳ１３４へ移される。
【０１２０】
Ｓ１３２にて、ＣＰＵ１２０は、ネットワーク通信部１２８を用いて、識別情報要求コマンド（図２４）と認証情報要求コマンド（図２５）とをホットスポットコンピュータ２０００に送信する。
【０１２１】
Ｓ１３４にて、ＣＰＵ１２０は、識別情報登録コマンド（図２６）を受信したか否かを判断する。識別情報登録コマンドを受信すると（Ｓ１３４にてＹＥＳ）、処理はＳ１３６へ移される。もしそうでないと（Ｓ１３４にてＮＯ）、処理はＳ１３８へ移される。Ｓ１３６にて、ＣＰＵ１２０は、メモリに、受信した識別情報登録コマンドに含まれる識別情報を記憶する。Ｓ１３８にて、ＣＰＵ１２０は、認証情報登録コマンド（図２７）を受信したか否かを判断する。認証情報登録コマンドを受信すると（Ｓ１３８にてＹＥＳ）、処理はＳ１４０へ移される。もしそうでないと（Ｓ１３８にてＮＯ）、処理はＳ１３０へ戻される。Ｓ１４０にて、ＣＰＵ１２０は、メモリ１２２に、受信した認証情報登録コマンドに含まれる認証情報を記憶する。
【０１２２】
図２９を参照して、本実施の形態に係るホットスポットコンピュータ２０００で実行されるプログラムは、以下のような制御構造を有する。
【０１２３】
Ｓ２３０にて、ホットスポットコンピュータ２０００のＣＰＵ２２０は、前回のパスワードの変更から予め定められた時間が経過したか否かを判断する。前回のパスワードの変更から予め定められた時間が経過すると（Ｓ２３０にてＹＥＳ）、処理はＳ２３２へ移される。もしそうでないと（Ｓ２３０にてＮＯ）、処理はＳ２３４へ移される。Ｓ２３２にて、ＣＰＵ２２０は、固定ディスク１２４に記憶された管理テーブル（図５）のパスワードを変更する。
【０１２４】
Ｓ２３４にて、ＣＰＵ２２０は、識別情報要求コマンド（図２４）を受信したか否かを判断する。識別情報要求コマンドを受信すると（Ｓ２３４にてＹＥＳ）、処理はＳ２３６へ移される。もしそうでないと（Ｓ２３４にてＮＯ）、処理はＳ２３８へ移される。Ｓ２３６にて、ＣＰＵ２２０は、ネットワーク通信部２２８を用いて、識別情報登録コマンド（図２６）をサーバ装置１０００に送信する。
【０１２５】
Ｓ２３８にて、ＣＰＵ２２０は、サーバ装置１０００から認証情報要求コマンド（図２５）を受信したか否かを判断する。認証情報要求コマンドを受信すると（Ｓ２３８にてＹＥＳ）、処理はＳ２４０へ移される。もしそうでないと（Ｓ２３８にてＮＯ）、処理はＳ２３０へ移される。Ｓ２４０にて、ＣＰＵ２２０は、ネットワーク通信部２２８を用いて、認証情報登録コマンド（図２７）を、サーバ装置１０００に送信する。その後、処理はＳ２３０へ戻される。
【０１２６】
以上のような構造およびフローチャートに基づく、本実施の形態に係る無線通信認証システムの動作について説明する。
【０１２７】
サーバ装置１０００において管理テーブル（図５）の作成タイミングに到達すると（Ｓ１３０にてＹＥＳ）、サーバ装置１０００は、ネットワーク通信部１２８を用いて、識別情報要求コマンド（図２４）と認証情報要求コマンド（図２５）とをホットスポットコンピュータ２０００に送信する（Ｓ１３２）。
【０１２８】
ホットスポットコンピュータ２０００は、識別情報要求コマンドを受信すると（Ｓ２３４にてＹＥＳ）、ネットワーク通信部２２８を用いて、識別情報登録コマンド（図２６）をサーバ装置１０００に送信する（Ｓ２３６）。ホットスポットコンピュータ２０００はサーバ装置１０００から認証情報要求コマンドを受信すると（Ｓ２３８にてＹＥＳ）、ネットワーク通信部２２８を用いて、認証情報登録コマンド（図２７）をサーバ装置１０００に送信する（Ｓ２４０）。
【０１２９】
サーバ装置１０００において、ホットスポットコンピュータ２０００から識別情報登録コマンド（図２６）を受信すると（Ｓ１３４にてＹＥＳ）、サーバ装置１０００はメモリ１２２に識別情報を記憶する（Ｓ１３６）。サーバ装置１０００において、ホットスポットコンピュータ２０００から認証情報登録コマンド（図２７）を受信すると（Ｓ１３８にてＹＥＳ）、サーバ装置１０００はメモリ１２２に認証情報を記憶する（Ｓ１４０）。
【０１３０】
また、ホットスポットコンピュータ２０００において、前回のパスワードの変更から予め定められた時間が経過すると（Ｓ２３０にてＹＥＳ）、固定ディスク１２４に記憶された管理テーブル（図５）のパスワードを変更する（Ｓ２３２）。
【０１３１】
以上のようにして、本実施の形態に係る無線通信認証システムによると、ホットスポットコンピュータ側で、パスワードの変更から予め定められた時間が経過すると自動的にパスワードをさらに変更する。これにより、パスワードの漏洩を防ぐことができる。
【０１３２】
＜第５の実施の形態＞
以下、本発明の第５の実施の形態に係る無線通信認証システムについて説明する。なお本実施の形態に係る無線通信認証システムのハードウェア構成は、前述の第３の実施の形態に係る無線通信認証システムのハードウェア構成と同じである。したがって、それらについての詳細な説明はここでは繰返さない。
【０１３３】
図３０に、本実施の形態に係る携帯電話３００からサーバ装置１０００に送信される識別情報通知コマンドを、図３１に、サーバ装置１０００から携帯電話３００に送信される認証情報通知コマンドを、図３２に、サーバ装置１０００からホットスポットコンピュータ２０００に送信される端末情報通知コマンドを示す。図３０に示すように、識別情報通知コマンドは、ホットスポットＩＤと携帯電話の電話番号と携帯電話のパスワードと携帯電話の通信アドレスとを含む。図３１に示すように、認証情報通知コマンドは、ホットスポットＩＤと、携帯電話またはホットスポットコンピュータのパスワードとを含む。図３２に示すように、端末情報通知コマンドは、携帯電話の通信アドレスと、携帯電話またはホットスポットコンピュータのパスワードとを含む。
【０１３４】
図３３を参照して、本実施の形態に係る携帯電話３００で実行されるプログラムは、以下のような制御構造を有する。なお、図３３に示すフローチャートの中で、前述の図１０に示したフローチャートと同じ種類については同じステップ番号を付してある。それらについての処理も同じである。したがって、それらについての詳細な説明はここでは繰返さない。
【０１３５】
Ｓ３３０にて、携帯電話３００の制御部３２０は、携帯電話網通信部３３０を用いて、識別情報通知コマンド（図３０）をサーバ装置１０００に送信する。このとき送信される識別情報通知コマンドは、携帯電話の電話番号および携帯電話のパスワードを含む。
【０１３６】
Ｓ３３２にて、制御部３２０は、Ｓ３０８にて受信した認証情報通知コマンド（図３１）に含まれるパスワード（携帯電話またはホットスポットコンピュータのパスワード）をBluetooth通信部３４０に設定する。
【０１３７】
図３４を参照して、本実施の形態に係るサーバ装置１０００で実行されるプログラムは、以下のような制御構造を有する。なお、図３４に示すフローチャートの中で、前述の図１２に示したフローチャートと同じ処理については同じステップ番号を付してある。それらについての処理も同じである。したがって、それらについての詳細な説明はここでは繰返さない。
【０１３８】
Ｓ１５０にて、サーバ装置１０００のＣＰＵ１２０は、識別情報通知コマンド（図３０）に含まれる携帯電話のパスワードが有効であるか否かを判断する。Ｓ１５２にて、ＣＰＵ１２０は、携帯電話のパスワードが有効であると判断すると（Ｓ１５２にてＹＥＳ）、処理はＳ１６０へ移される。もしそうでないと（Ｓ１５２にてＮＯ）、処理はＳ１５４へ移される。
【０１３９】
Ｓ１５４にて、ＣＰＵ１２０は、固定ディスク１２４に記憶された管理テーブル（図５）から、識別情報通知コマンド（図３０）に含まれるホットスポットＩＤに対応するホットスポットコンピュータのパスワードを読出す。
【０１４０】
Ｓ１５６にて、ＣＰＵ１２０は、携帯電話網通信部１２６を用いて、ホットスポットコンピュータのパスワードを含む認証情報通知コマンド（図３１）を携帯電話３００に送信する。
【０１４１】
Ｓ１５８にて、ＣＰＵ１２０は、ネットワーク通信部１２８を用いて、ホットスポットコンピュータのパスワードを含む端末情報通知コマンド（図３２）をホットスポットコンピュータ２０００に送信する。
【０１４２】
Ｓ１６０にて、ＣＰＵ１２０は、携帯電話網通信部１２６を用いて、携帯電話のパスワードを含む認証情報通知コマンド（図３１）を携帯電話３００に送信する。
【０１４３】
Ｓ１６２にて、ＣＰＵ１２０は、ネットワーク通信部１２８を用いて、携帯電話のパスワードを含む端末情報通知コマンド（図３２）をホットスポットコンピュータ２０００に送信する。
【０１４４】
図３５を参照して、本実施の形態に係るホットスポットコンピュータ２０００で実行されるプログラムは、以下のような制御構造を有する。なお、図３５に示すフローチャートの中で、前述の図１１に示したフローチャートと同じ処理については同じステップ番号を付してある。それらについての処理も同じである。したがって、それらについての詳細な説明はこここでは繰返さない。
【０１４５】
Ｓ２５０にて、ホットスポットコンピュータ２０００のＣＰＵ２２０は、端末情報通知コマンド（図３２）を受信したか否かを判断する。端末情報通知コマンドを受信すると（Ｓ２５０にてＹＥＳ）、処理はＳ２５２へ移される。もしそうでない（Ｓ２５０にてＮＯ）、処理はＳ２５０へ戻され、サーバ装置１０００から端末情報通知コマンド（図３２）を受信するまで待つ。
【０１４６】
Ｓ２５２にて、ＣＰＵ２２０は、端末情報通知コマンド（図３２）に含まれるパスワードと通信アドレスとをメモリ１２２に記憶する。Ｓ２５４にて、ＣＰＵ２２０は、メモリ１２２から通信アドレスを読出す。Ｓ２５６にて、ＣＰＵ２２０は、データ通信接続要求時に送信されてきた携帯電話の通信アドレスと、メモリ１２２から読み出された通信アドレスとを比較して一致したか否かを判断する。通信アドレスが一致すると（Ｓ２５６にてＹＥＳ）、処理は、Ｓ２０６へ移される（Ｓ２５６にてＹＥＳ）。もしそうでないと（Ｓ２５６にてＮＯ）、処理は、Ｓ２０４へ移される。
【０１４７】
以上のような構造およびフローチャートに基づく、本実施の形態に係る無線通信認証システムの動作について説明する。
【０１４８】
携帯電話３００において、検索要求コマンドをブロードキャスト送信（Ｓ３０２）した結果、検索応答コマンドをホットスポットコンピュータ２０００から受信すると（Ｓ１３４にてＹＥＳ）、携帯電話網通信部３３０を用いて、識別情報通知コマンド（図３０）がサーバ装置１０００に送信される。このとき、サーバ装置１０００に送信される識別情報通知コマンドには、携帯電話の電話番号および携帯電話のパスワードが含まれている。
【０１４９】
サーバ装置１０００においては、識別情報通知コマンド（図３０）を受信すると（Ｓ１００にてＹＥＳ）、識別情報通知コマンド（図３０）に含まれる携帯電話のパスワードが有効であるか否かが判断される（Ｓ１５０）。携帯電話のパスワードが有効である場合には（Ｓ１５２にてＹＥＳ）、サーバ装置１０００は、携帯電話のパスワードを含む認証情報通知コマンド（図３１）を携帯電話３００に送信し、携帯電話のパスワードを含む端末情報通知コマンド（図３２）をホットスポットコンピュータ２０００に送信する。一方、携帯電話のパスワードが有効でない場合には（Ｓ１５２にてＮＯ）、固定ディスク１２４に記憶された管理テーブル（図５）から、識別情報通知コマンド（図３０）に含まれるホットスポットＩＤに対応するホットスポットコンピュータのパスワードが読出される（Ｓ１５４）。サーバ装置１０００は、読出したホットスポットコンピュータのパスワードを含む認証情報通知コマンド（図３１）を携帯電話３００に送信し（Ｓ１５６）、ホットスポットコンピュータのパスワードを含む端末情報通知コマンド（図３２）をホットスポットコンピュータ２０００に送信する（Ｓ１５８）。
【０１５０】
携帯電話３００においては、サーバ装置１０００から認証情報通知コマンド（図３１）を受信すると（Ｓ３０８にてＹＥＳ）、認証情報通知コマンドのパスワード（携帯電話のパスワードまたはホットスポットコンピュータのパスワード）をBluetooth通信部３３０に設定する（Ｓ３３２）。
【０１５１】
ホットスポットコンピュータ２０００においては、サーバ装置１０００から端末情報通知コマンド（図３２）を受信すると（Ｓ２５０にてＹＥＳ）、端末情報通知コマンドに含まれるパスワードをメモリに記憶する（Ｓ２５２）。
【０１５２】
以上のようにして、本実施の形態に係る無線通信認証システムによると、携帯電話のパスワードが携帯電話からサーバ装置に送信され、サーバ装置においてその有効性が確認される。携帯電話のパスワードが有効である場合にはその携帯電話のパスワードがホットスポットコンピュータに送信され、携帯電話とホットスポットコンピュータとの間の通信において必要となるパスワードの設定される。一方携帯電話のパスワードが有効でないと判断されると、サーバ装置は固定ディスクに記憶された管理テーブルからホットスポットコンピュータのパスワードを読出し、そのパスワードを携帯電話に送信する。このようにして、有効なパスワードが携帯電話およびホットスポットコンピュータに設定される。
【０１５３】
＜第６の実施の形態＞
以下、本発明の第６の実施の形態について説明する。なお本実施の形態に係る無線通信認証システムのハードウェア構成は、前述の第１の実施の形態に係る無線通信認証システムのハードウェア構成と同じである。すなわち、図１に示すようにサーバ装置１００とホットスポットコンピュータ２００とは接続されていないものである。
【０１５４】
図３６に、サーバ装置１００の固定ディスク１２４に記憶される携帯電話ごとの課金管理テーブルを、図３７にサーバ装置１００の固定ディスク１２４に記憶されるホットスポットコンピュータごとの課金管理テーブルを示す。図３６に示すように、課金テーブルは携帯電話３００の電話番号ごとに課金情報と統計情報とを含む。図３７に示すように、課金管理テーブルはホットスポットＩＤごとに課金情報と統計情報とを含む。図３６および図３７に示す課金情報は、携帯電話３００とホットスポットコンピュータ２００との間で実行された通信における通信に対する課金情報を示す。統計情報とは、携帯電話３００とホットスポットコンピュータ２００との間で実行された通信の日時、頻度および通信時間などの情報である。
【０１５５】
図３８に、本実施の形態に係る携帯電話３００からサーバ装置１００に送信される課金情報通知コマンドを、図３９に、携帯電話３００からサーバ装置１００に送信される課金情報要求コマンドを、図４０にサーバ装置１００から携帯電話３００に送信される集計課金情報通知コマンドを示す。図３８に示すように、課金情報通知コマンドは、ホットスポットＩＤと携帯電話の電話番号と通信時間と通信データ量とを含む。図３９に示すように、課金情報要求コマンドは、携帯電話の電話番号を含む。図４０に示すように集計課金情報通知コマンドは、集計された通信料金と集計された通信時間と集計された通信データ量とを含む。
【０１５６】
図４１を参照して、本実施の形態に係る携帯電話３００で実行されるプログラムは以下のような制御構造を有する。なお、図４１に示すフローチャートの中で、前述の図１０に示したフローチャートと同じ処理については同じステップ番号を付してある。それらについての処理も同じである。したがって、それらについての詳細な説明はここでは繰返さない。
【０１５７】
Ｓ３４０にて、携帯電話３００の制御部３２０は、データ通信時間および通信データ量の計測を開始する。Ｓ３４２にて、制御部３２０は、データ通信時間および通信データ量の計測を終了する。
【０１５８】
Ｓ３４４にて、制御部３２０は、携帯電話網通信部３３０を用いて、データ通信時間および通信データ量を含む課金情報通知コマンド（図３８）をサーバ装置１００に送信する。
【０１５９】
図４２を参照して、本実施の形態に係る携帯電話で実行されるプログラムは、課金情報要求処理に関し、以下のような制御構造を有する。
【０１６０】
Ｓ３５０にて、携帯電話３００の制御部３２０は、課金情報の要求を検知したか否かを判断する。この課金情報の要求は、携帯電話３００の操作部３１２に入力された情報に基づいて行なわれる。課金情報の要求を検知すると（Ｓ３５０にてＹＥＳ）、処理はＳ３５２へ移される。もしそうでないと（Ｓ３５０にてＮＯ）、処理はＳ３５０に戻され、携帯電話３００のユーザが課金情報の要求を入力するまで待つ。
【０１６１】
Ｓ３５２にて、制御部３２０は、携帯電話網通信部３３０を用いて、課金情報要求コマンド（図３９）をサーバ装置１０００に送信する。
【０１６２】
Ｓ３５４にて、制御部３２０は、集計課金情報通知コマンド（図４０）を受信したか否かを判断する。集計課金情報通知コマンド（図４０）をサーバ装置１００から受信すると（Ｓ３５４にてＹＥＳ）、処理はＳ３５６へ移される。もしそうでないと（Ｓ３５４にてＮＯ）、処理はＳ３５４へ戻され、サーバ装置１００から集計課金情報通知コマンド（図４０）を受信するまで待つ。
【０１６３】
Ｓ３５６にて、制御部３２０は、受信した課金情報を表示部３１４に表示する。
【０１６４】
図４３を参照して、本実施の形態に係るサーバ装置１００で実行されるプログラムは、以下のような制御構造を有する。
【０１６５】
Ｓ１７０にて、サーバ装置１００のＣＰＵ１２０は、携帯電話３００から課金情報通知コマンド（図３８）を受信したか否かを判断する。携帯電話３００から課金情報通知コマンドを受信すると（Ｓ１７０にてＹＥＳ）、処理はＳ１７２へ移される。もしそうでないと（Ｓ１７０にてＮＯ）、処理はＳ１７６へ移される。
【０１６６】
Ｓ１７２にて、ＣＰＵ１２０は、固定ディスク１２４に記憶された携帯電話別の課金管理テーブル（図３６）の課金情報を更新する。このとき、予め定められた時間を経過するまで積算処理が行なわれる。また、通信時間および通信データ量から課金額が算出される。
【０１６７】
Ｓ１７４にて、ＣＰＵ１２０は、固定ディスク１２４に記憶されたホットスポットコンピュータ別の課金管理テーブル（図３７）の課金情報を更新する。このとき、予め定められた時間を経過するまで積算処理が行なわれる。また前述のＳ１７２における処理と同様にして、通信時間と通信データ量とに基づいて課金額が算出される。
【０１６８】
Ｓ１７６にて、ＣＰＵ１２０は、携帯電話３００から課金情報要求コマンド（図３９）を受信したか否かを判断する。携帯電話３００から課金情報要求コマンドを受信すると（Ｓ１７６にてＹＥＳ）、処理はＳ１７８へ移される。もしそうでないと（Ｓ１７６にてＮＯ）、処理はＳ１７０へ戻される。
【０１６９】
Ｓ１７８にて、ＣＰＵ１２０は、携帯電話網通信部１２６を用いて、固定ディスク１２４に記憶された携帯電話別の課金管理テーブル（図３６）の課金情報を携帯電話３００に送信する。
【０１７０】
以上のような構造およびフローチャートに基づく本実施の形態に係る無線通信認証システムの動作について説明する。
【０１７１】
携帯電話３００は、携帯電話３００とホットスポットコンピュータ２００との間でデータ通信が開始されるとデータ通信時間および通信データ量の計測を開始する（Ｓ３４０）。データ通信が終了すると（Ｓ３１４にてＹＥＳ）、携帯電話３００は、データ通信時間および通信データ量の計測を終了し（Ｓ３４２）、携帯電話網通信部３３０を用いて、データ通信時間および通信データ量を含む課金情報通知コマンド（図３８）をサーバ装置１００に送信する（Ｓ３４４）。
【０１７２】
サーバ装置１００においては、携帯電話３００から課金情報通知コマンド（図３８）を受信すると（Ｓ１７０にてＹＥＳ）、固定ディスク１２４に記憶された携帯電話別の課金管理テーブル（図３６）およびホットスポットコンピュータ別の課金管理テーブル（図３７）の課金情報を更新する（Ｓ１７２、Ｓ１７４）。
【０１７３】
携帯電話３００において、携帯電話３００のユーザが課金情報の要求を入力すると（Ｓ３５０にてＹＥＳ）、携帯電話網通信部３３０を用いて、課金情報要求コマンド（図３９）がサーバ装置１００に送信される（Ｓ３５２）。
【０１７４】
サーバ装置１００においては携帯電話３００から課金情報要求コマンド（図３９）を受信すると（Ｓ１７６にてＹＥＳ）、携帯電話網通信部１２６を用いて、固定ディスク１２４に記憶された携帯電話別の課金管理テーブル（図３６）の課金情報を携帯電話３００に送信する（Ｓ１７８）。携帯電話３００においては、サーバ装置１００から集計課金情報通知コマンド（図４０）を受信すると（Ｓ３５４にてＹＥＳ）、課金情報を表示部３１４に表示する（Ｓ３５６）。なお、上述の説明では、携帯電話３００には携帯電話別の課金情報のみを送信することとしたが、これに限定されるものではなく、携帯電話３００にホットスポットコンピュータ別の課金情報を送信するものであってもよい。
【０１７５】
以上のようにして、本実施の形態に係る無線通信認証システムによると、携帯電話とホットスポットコンピュータの間における通信に対する課金情報を携帯電話で出力させることができる。
【０１７６】
＜第７の実施の形態＞
以下、本発明の第７の実施の形態に係る無線通信認証システムについて説明する。なお、本発明の実施の形態に係る無線通信認証システムのハードウェア構成は、前述の第３の実施の形態に係る無線通信認証システムのハードウェア構成と同じである。すなわち、サーバ装置１０００とホットスポットコンピュータ２０００とはネットワーク５１０を介してデータ通信を行なう。
【０１７７】
図４４に、本実施の形態に係るホットスポットコンピュータ２０００からサーバ装置１０００に送信される課金情報通知コマンドを、図４５に、ホットスポットコンピュータ２０００からサーバ装置１０００に送信される課金情報要求コマンドを、図４６に、サーバ装置１０００からホットスポットコンピュータ２０００に送信される集計課金情報通知コマンドを示す。図４４に示すように、課金情報通知コマンドは、ホットスポットＩＤと携帯電話の電話番号と通信時間と通信データ量とを含む。図４５に示すように課金情報要求コマンドは、ホットスポットＩＤを含む。図４６に示すように集計課金情報通知コマンドは、集計された通信料金と集計された通信時間と集計された通信データ量とを含む。
【０１７８】
図４７を参照して、本実施の形態に係るホットスポットコンピュータ２０００で実行されるプログラムは、以下のような制御構造を有する。なお、図４７に示すフローチャートの中で、前述の図１１に示したフローチャートと同じ処理については同じステップ番号を付してある。それらについての処理も同じである。したがってそれらについての詳細な説明はここでは繰返さない。
【０１７９】
Ｓ２６０にて、ホットスポットコンピュータ２０００のＣＰＵ２２０は、データ通信時間および通信データ量の計測を開始する。Ｓ２６２にて、ＣＰＵ２２０は、データ通信時間および通信データ量の計測を終了する。
【０１８０】
Ｓ２６４にて、ＣＰＵ２２０は、ネットワーク通信部２２８を用いて、データ通信時間および通信データ量を含む課金情報通知コマンド（図４４）をサーバ装置１０００に送信する。
【０１８１】
図４８を参照して、本実施の形態に係るホットスポットコンピュータで実行されるプログラムは、課金情報要求処理に関し、以下のような制御構造を有する。
【０１８２】
Ｓ２７０にて、ホットスポットコンピュータ２０００のＣＰＵ２２０は、課金情報の要求を検知したか否かを判断する。この判断は、ホットスポットコンピュータ２０００のキーボード１１０またはマウス１１２から入力された情報に基づいて行なわれる。課金情報の要求を検知すると（Ｓ２７０にてＹＥＳ）、処理はＳ２７２へ移される。もしそうでないと（Ｓ２７０にてＮＯ）、処理はＳ２７０へ戻され、ホットスポットコンピュータ２０００のキーボード１１０またはマウス１１２から課金情報の要求が入力されるまで待つ。
【０１８３】
Ｓ２７２にて、ＣＰＵ２２０は、ネットワーク通信部２２８から課金情報要求コマンド（図４５）をサーバ装置１０００に送信する。Ｓ２７４にて、ＣＰＵ２２０は、集計課金情報通知コマンド（図４６）を受信したか否かを判断する。集計課金情報通知コマンド（図４６）を受信すると（Ｓ２７４にてＹＥＳ）、処理はＳ２７６へ移される。もしそうでないと（Ｓ２７４にてＮＯ）、処理はＳ２７４へ戻され、サーバ装置１０００から集計課金情報通知コマンド（図４６）を受信するまで待つ。
【０１８４】
Ｓ２７６にて、ＣＰＵ２２０は、受信した課金情報をモニタ１０４に表示する。
【０１８５】
図４９を参照して、本実施の形態に係るサーバ装置１０００で実行されるプログラムは、以下のような制御構造を有する。なお、図４９に示すフローチャートの中で、前述の図４３に示したフローチャートと同じ処理については同じステップ番号を付してある。それらについての処理も同じである。したがって、それらについての詳細な説明はここでは繰返さない。
【０１８６】
Ｓ１８０にて、サーバ装置１０００のＣＰＵ１２０は、ホットスポットコンピュータ２０００から課金情報通知コマンド（図４４）を受信したか否かを判断する。ホットスポットコンピュータ２０００から課金情報通知コマンド（図４４）を受信すると（Ｓ１８０にてＹＥＳ）、処理はＳ１７２へ移される。もしそうでないと（Ｓ１８０にてＮＯ）、処理はＳ１８２へ移される。
【０１８７】
Ｓ１８２にて、ＣＰＵ１２０は、ホットスポットコンピュータ２０００から課金情報要求コマンド（図４５）を受信したか否かを判断する。ホットスポットコンピュータ２０００から課金情報要求コマンド（図４５）を受信すると（Ｓ２８２にてＹＥＳ）、処理はＳ１８４へ移される。もしそうでないと（Ｓ１８２にてＮＯ）、処理はＳ１８０へ戻される。
【０１８８】
Ｓ１８４にて、ＣＰＵ１２０は、ネットワーク通信部１２８を用いて、固定ディスク１２４に記憶されたホットスポット別の課金管理テーブル（図３７）の課金情報をホットスポットコンピュータ２０００に送信する。なお、上述の説明においては、ホットスポットコンピュータ２０００にはホットスポットコンピュータ別の課金管理テーブルの課金情報を送信するものとしたが、これに限定されるものではなく、携帯電話別の課金管理テーブルの課金情報を送信するようにしてもよい。
【０１８９】
以上のような構造およびフローチャートに基づく、本実施の形態に係る無線通信認証システムの動作について説明する。
【０１９０】
ホットスポットコンピュータ２０００においては、携帯電話３００とホットスポットコンピュータ２０００との間でデータ通信が始まるとデータ通信時間および通信データ量の計測を開始する（Ｓ２６０）。データ通信が終了すると（Ｓ２１２にてＹＥＳ）、データ通信時間および通信データ量の計測が終了し（Ｓ２６２）、ホットスポットコンピュータ２０００は、ネットワーク通信部２２８を用いて、データ通信時間および通信データ量を含む課金情報通知コマンド（図４４）をサーバ装置１０００に送信する（Ｓ２６４）。
【０１９１】
サーバ装置１０００においては、ホットスポットコンピュータ２０００から課金情報通知コマンド（図４４）を受信すると（Ｓ１８０にてＹＥＳ）、固定ディスク１２４に記憶された携帯電話別の課金管理テーブル（図３６）の課金情報を更新し、ホットスポットコンピュータ別の課金管理テーブル（図３７）の課金情報を更新する（Ｓ１７２、Ｓ１７４）。
【０１９２】
ホットスポットコンピュータ２０００において、キーボード１１０またはマウス１１２を用いて課金情報の要求を入力すると（Ｓ２７０にてＹＥＳ）、ネットワーク通信部２２８から課金情報要求コマンド（図４５）がサーバ装置１０００に送信される（Ｓ２７２）。
【０１９３】
サーバ装置１０００においては、ホットスポットコンピュータ２０００から課金情報要求コマンド（図４５）を受信すると（Ｓ１８２にてＹＥＳ）、ネットワーク通信１２８を用いて、固定ディスクに記憶されたホットスポットコンピュータ別の課金管理テーブル（図３７）の課金情報がホットスポットコンピュータ２０００に送信される（Ｓ１８４）。
【０１９４】
ホットスポットコンピュータ２０００においては、集計課金情報通知コマンド（図４６）を受信すると（Ｓ２７４にてＹＥＳ）、受信した課金情報をモニタ１０４に表示する。
【０１９５】
以上のようにして、本実施の形態に係る無線通信認証システムによると、ホットスポットコンピュータは、ホットスポットコンピュータと携帯電話との間の通信時間および非通信データ量を計測し、サーバ装置に送信する。サーバ装置は、ホットスポットコンピュータ２０００から受信した通信時間およびデータ通信量に基づいて課金情報を記憶する。ホットスポットコンピュータはサーバ装置に課金情報を要求すると、サーバ装置から送信される課金情報を出力することができる。
【０１９６】
＜第８の実施の形態＞
以下、本発明の第８の実施の形態に係る無線通信認証システムについて説明する。なお、本発明の実施の形態に係る無線通信認証システムのハードウェア構成は、前述の第３の実施の形態に係る無線通信認証システムのハードウェア構成と同じである。すなわち、サーバ装置１０００とホットスポットコンピュータ２０００とはネットワーク５１０を介してデータ通信を行なう。
【０１９７】
サーバ装置１０００は、課金処理および問合せ回数などの統計情報を処理する処理部を含む。サーバ装置１０００と携帯電話３００との間で送受信される課金情報通知コマンドは、課金情報と統計情報とを含む。
【０１９８】
携帯電話３００は、ホットスポットコンピュータ２０００からホットスポットＩＤを取得後、サーバ装置１０００にホットスポットＩＤを通知する。識別情報通知コマンドを受信したサーバ装置１０００は、コマンドに含まれる携帯電話３００の電話番号を抽出し、処理部にて携帯電話３００毎の問合せに対する課金処理または問合せ回数のカウントを行ない、記憶する。さらに、携帯電話３００宛てに課金情報および統計情報を含む課金情報通知コマンドを送信する。携帯電話３００は、受信した課金情報通知コマンドに基づいて、課金情報および統計情報を抽出して記憶したり、表示したりする。ここで、課金処理および統計情報を更新する単位を、携帯電話３００の電話番号別に管理する場合は、携帯電話３００のユーザ単位で課金情報を保持し、ユーザが課金情報に基づいて料金を支払うようにしてもよい。また、ホットスポットコンピュータ２０００を接地する店舗などの単位で課金情報を保持し、店舗などが課金情報に基づいて料金を支払うようにしてもよい。
【０１９９】
このようにすると、サーバ装置に課金処理および統計情報を更新する処理部を設けることにより、携帯電話毎やホットスポットコンピュータ毎に、その接続状況に応じて課金が可能になる。すなわち、携帯電話からサーバ装置への問合せに基づいて、サーバ装置で課金処理することが可能になる。
【０２００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の第１の実施の形態に係る無線通信認証システムの構成を示す図である。
【図２】  図１に示す無線通信認証システムのサーバ装置の制御ブロック図である。
【図３】  図１に示す無線通信認証システムのホットスポットコンピュータの制御ブロック図である。
【図４】  図１に示す無線通信認証システムの携帯電話の制御ブロック図である。
【図５】  本発明の第１の実施の形態に係るサーバ装置の固定ディスクに記憶される管理テーブルを示す図である。
【図６】  本発明の第１の実施の形態に係る携帯電話からホットスポットコンピュータに送信される検索要求コマンドを示す図である。
【図７】  本発明の第１の実施の形態に係るホットスポットコンピュータから携帯電話に送信される検索応答コマンドを示す図である。
【図８】  本発明の第１の実施の形態に係る携帯電話からサーバ装置に送信される識別情報通知コマンドを示す図である。
【図９】  本発明の第１の実施の形態に係るサーバ装置から携帯電話に送信される認証情報通知コマンドを示す図である。
【図１０】  本発明の第１の実施の形態に係る無線通信認証システムの携帯電話で実行されるおける処理のフローチャートである。
【図１１】  本発明の第１の実施の形態に係る無線通信認証システムのホットスポットコンピュータで実行される処理のフローチャートである。
【図１２】  本発明の第１の実施の形態に係る無線通信認証システムのサーバ装置で実行される処理のフローチャートである。
【図１３】  本発明の第２の実施の形態に係るサーバ装置の固定ディスクに記憶される携帯電話管理テーブルを示す図である。
【図１４】  本発明の第２の実施の形態に係る携帯電話からサーバ装置に送信される識別情報通知コマンドを示す図である。
【図１５】  本発明の第２の実施の形態に係る無線通信認証システムの携帯電話で実行されるおける処理のフローチャートである。
【図１６】  本発明の第２の実施の形態に係る無線通信認証システムのサーバ装置で実行される処理のフローチャートである。
【図１７】  本発明の第３の実施の形態に係る無線通信認証システムの構成を示す図である。
【図１８】  図１７に示す無線通信認証システムのサーバ装置の制御ブロック図である。
【図１９】  図１７に示す無線通信認証システムのホットスポットコンピュータの制御ブロック図である。
【図２０】  本発明の第３の実施の形態に係るサーバ装置からホットスポットコンピュータに送信される識別情報登録コマンドを示す図である。
【図２１】  本発明の第３の実施の形態に係るサーバ装置からホットスポットコンピュータに送信される認証情報登録コマンドを示す図である。
【図２２】  本発明の第３の実施の形態に係る無線通信認証システムのサーバ装置で実行される処理のフローチャートである。
【図２３】  本発明の第３の実施の形態に係る無線通信認証システムのホットスポットコンピュータで実行される処理のフローチャートである。
【図２４】  本発明の第４の実施の形態に係るサーバ装置からホットスポットコンピュータに送信される識別情報要求コマンドを示す図である。
【図２５】  本発明の第４の実施の形態に係るサーバ装置からホットスポットコンピュータに送信される認証情報要求コマンドを示す図である。
【図２６】  本発明の第４の実施の形態に係るホットスポットコンピュータからサーバ装置に送信される識別情報通知コマンドを示す図である。
【図２７】  本発明の第４の実施の形態に係るホットスポットコンピュータからサーバ装置に送信される認証情報通知コマンドを示す図である。
【図２８】  本発明の第４の実施の形態に係る無線通信認証システムのサーバ装置で実行されるおける処理のフローチャートである。
【図２９】  本発明の第４の実施の形態に係る無線通信認証システムのホットスポットコンピュータで実行される処理のフローチャートである。
【図３０】  本発明の第５の実施の形態に係る携帯電話からサーバ装置に送信される識別情報通知コマンドを示す図である。
【図３１】  本発明の第５の実施の形態に係るサーバ装置から携帯電話に送信される認証情報通知コマンドを示す図である。
【図３２】  本発明の第５の実施の形態に係るサーバ装置からホットスポットコンピュータに送信される端末情報通知コマンドを示す図である。
【図３３】  本発明の第５の実施の形態に係る無線通信認証システムの携帯電話で実行されるおける処理のフローチャートである。
【図３４】  本発明の第５の実施の形態に係る無線通信認証システムのサーバ装置で実行される処理のフローチャートである。
【図３５】  本発明の第５の実施の形態に係る無線通信認証システムのホットスポットコンピュータで実行される処理のフローチャートである。
【図３６】  本発明の第６の実施の形態に係るサーバ装置の固定ディスクに記憶される、携帯電話別の課金情報データベースを示す図である。
【図３７】  本発明の第６の実施の形態に係るサーバ装置の固定ディスクに記憶される、ホットスポットコンピュータ別の課金情報データベースを示す図である。
【図３８】  本発明の第６の実施の形態に係る携帯電話からサーバ装置に送信される課金情報通知コマンドを示す図である。
【図３９】  本発明の第６の実施の形態に係る携帯電話からサーバ装置に送信される課金情報要求コマンドを示す図である。
【図４０】  本発明の第６の実施の形態に係るサーバ装置から携帯電話に送信される集計課金情報通知コマンドを示す図である。
【図４１】  本発明の第６の実施の形態に係る無線通信認証システムの携帯電話で実行されるおける処理のフローチャート（その１）である。
【図４２】  本発明の第６の実施の形態に係る無線通信認証システムの携帯電話で実行されるおける処理のフローチャート（その２）である。
【図４３】  本発明の第６の実施の形態に係る無線通信認証システムのサーバ装置で実行される処理のフローチャートである。
【図４４】  本発明の第７の実施の形態に係るホットスポットコンピュータからサーバ装置に送信される課金情報通知コマンドを示す図である。
【図４５】  本発明の第７の実施の形態に係るホットスポットコンピュータからサーバ装置に送信される課金情報要求コマンドを示す図である。
【図４６】  本発明の第７の実施の形態に係るサーバ装置からホットスポットコンピュータに送信される課金情報要求コマンドを示す図である。
【図４７】  本発明の第７の実施の形態に係る無線通信認証システムのホットスポットコンピュータで実行されるおける処理のフローチャート（その１）である。
【図４８】  本発明の第７の実施の形態に係る無線通信認証システムのホットスポットコンピュータで実行されるおける処理のフローチャート（その２）である。
【図４９】  本発明の第７の実施の形態に係る無線通信認証システムのサーバ装置で実行される処理のフローチャートである。
【符号の説明】
１００、１０００  サーバ装置、２００、２０００  ホットスポットコンピュータ、３００  携帯電話、４００  携帯電話基地局、５００  携帯電話網ネットワーク、５１０  ネットワーク。
【図１】
0004024052.tif 000002
【図２】
0004024052.tif 000003
【図３】
0004024052.tif 000004
【図４】
0004024052.tif 000005
【図５】
0004024052.tif 000006
【図６】
0004024052.tif 000007
【図７】
0004024052.tif 000008
【図８】
0004024052.tif 000009
【図９】
0004024052.tif 000010
【図１０】
0004024052.tif 000011
【図１１】
0004024052.tif 000012
【図１２】
0004024052.tif 000013
【図１３】
0004024052.tif 000014
【図１４】
0004024052.tif 000015
【図１５】
0004024052.tif 000016
【図１６】
0004024052.tif 000017
【図１７】
0004024052.tif 000018
【図１８】
0004024052.tif 000019
【図１９】
0004024052.tif 000020
【図２０】
0004024052.tif 000021
【図２１】
0004024052.tif 000022
【図２２】
0004024052.tif 000023
【図２３】
0004024052.tif 000024
【図２４】
0004024052.tif 000025
【図２５】
0004024052.tif 000026
【図２６】
0004024052.tif 000027
【図２７】
0004024052.tif 000028
【図２８】
0004024052.tif 000029
【図２９】
0004024052.tif 000030
【図３０】
0004024052.tif 000031
【図３１】
0004024052.tif 000032
【図３２】
0004024052.tif 000033
【図３３】
0004024052.tif 000034
【図３４】
0004024052.tif 000035
【図３５】
0004024052.tif 000036
【図３６】
0004024052.tif 000037
【図３７】
0004024052.tif 000038
【図３８】
0004024052.tif 000039
【図３９】
0004024052.tif 000040
【図４０】
0004024052.tif 000041
【図４１】
0004024052.tif 000042
【図４２】
0004024052.tif 000043
【図４３】
0004024052.tif 000044
【図４４】
0004024052.tif 000045
【図４５】
0004024052.tif 000046
【図４６】
0004024052.tif 000047
【図４７】
0004024052.tif 000048
【図４８】
0004024052.tif 000049
【図４９】
0004024052.tif 000050